(57)【特許請求の範囲】
【請求項１】
電力量計およびガスメーターにより計測された電力およびガスの検針値を取得する検針値取得手段と、
前記電力およびガスの検針値に基づいて、エネルギ消費機器の制御情報を生成する生成手段と、
電力およびガスの料金プラン情報を取得する料金情報取得手段と、
前記電力およびガスの検針値、ならびに、前記電力およびガスの料金プラン情報の取得先を、需要家またはプロバイダから指定された電力会社、ガス会社、およびＰＰＳ（Power Producer and Supplier）の少なくともいずれか一つのサーバから特定する特定手段と、
を備え、
前記検針値取得手段および前記料金情報取得手段は、前記電力およびガスの検針値ならびに前記電力およびガスの料金プラン情報を、前記特定手段により特定された前記取得先から当該取得先に応じた経路および通信方法で通信して取得する、制御装置。
【請求項２】
前記生成手段は、前記電力およびガスの検針値と、前記電力およびガスの料金プラン情報とに基づいて、エネルギ消費機器の制御情報を生成する請求項１に記載の制御装置。
【請求項３】
前記生成手段は、
前記電力およびガスの検針値と、前記電力およびガスの料金プラン情報とに基づいて、需要家の支払い料金を算出し、
前記支払い料金に基づいて、前記エネルギ消費機器の前記電力とガスの利用の組み合わせを決定し、
決定された組み合わせに基づいて、前記制御情報を生成する請求項１または２に記載の制御装置。
【請求項４】
前記料金情報取得手段は、前記電力および前記ガスに関する前記料金プラン情報の取得先情報に基づいて、各取得先に、前記料金プラン情報を要求して取得する請求項１から３のいずれか１項に記載の制御装置。
【請求項５】
前記制御情報に基づく制御の対象となる機器に関し、前記エネルギ消費機器を識別可能なリスト情報を保持し、前記リスト情報に基づいて、前記制御情報に基づく制御の対象となる機器を選択する選択手段をさらに備える請求項１から４のいずれか１項に記載の制御装置。
【請求項６】
スマートメーター、ＨＥＭＳ（Home Energy Management System：住宅向けエネルギ管理システム）、およびクラウドサーバの少なくともいずれか一つにより実現される請求項１から５のいずれか１項に記載の制御装置。
【請求項７】
前記電力およびガスの需要制御情報を取得する需要制御情報取得手段をさらに備え、
前記生成手段は、前記電力およびガスの検針値に基づく前記制御情報を、前記需要制御情報に基づいて更新する請求項１から６のいずれか１項に記載の制御装置。
【請求項８】
前記制御情報に基づいて、前記エネルギ消費機器の最適制御に関する情報を需要家に通知する通知手段をさらに備える請求項１から７のいずれか１項に記載の制御装置。
【請求項９】
前記制御情報に基づいて、前記エネルギ消費機器を制御する制御手段をさらに備える請求項１から８のいずれか１項に記載の制御装置。
【請求項１０】
前記エネルギ消費機器が、電力とガスの両方を消費する機器であり、かつ、前記電力とガスの消費比率を変更でき、
前記生成手段は、前記エネルギ消費機器の前記制御情報に、前記電力とガスの前記消費比率の変更指示を含んで生成する請求項１から９のいずれか１項に記載の制御装置。
【請求項１１】
前記エネルギ消費機器から、その利用状況、動作状況、および各センサの情報、および利用効率に関する情報のうち少なくとも一つを含む機器情報を取得する機器情報取得手段をさらに備え、
前記生成手段は、前記機器情報取得手段が取得した前記エネルギ消費機器の前記機器情報をさらに用いて、前記制御情報を生成する請求項１から１０のいずれか１項に記載の制御装置。
【請求項１２】
前記生成手段は、
電力消費量が所定値以上の電力消費機器を停止候補として抽出した場合、前記停止候補の前記電力消費機器と代替可能なガス消費機器を抽出する請求項１から１１のいずれか１項に記載の制御装置。
【請求項１３】
前記生成手段は、
ガス消費量が所定値以上のガス消費機器を停止候補として抽出した場合、前記停止候補の前記ガス消費機器と代替可能な電力消費機器を抽出する請求項１から１１のいずれか１項に記載の制御装置。
【請求項１４】
前記生成手段は、
前記ガス消費機器に対応する前記停止候補の前記電力消費機器について動作停止し、当該代替機器のガス消費機器について、動作開始を行うことを示す制御情報を生成する請求項１２に記載の制御装置。
【請求項１５】
前記生成手段は、
前記電力消費機器に対応する前記停止候補の前記ガス消費機器について動作停止し、当該代替機器の電力消費機器について、動作開始を行うことを示す制御情報を生成する請求項１３に記載の制御装置。
【請求項１６】
前記生成手段は、
前記停止候補の前記電力消費機器に代替機器がある場合、当該電力消費機器を動作停止することを示す制御情報を生成し、
前記停止候補の前記電力消費機器に代替機器がない場合、当該電力消費機器を停止または節電モードにすることを示す制御情報を生成する請求項１２から１５のいずれか１項に記載の制御装置。
【請求項１７】
制御装置が、
電力量計およびガスメーターにより計測された電力およびガスの検針値を取得し、
前記電力およびガスの検針値に基づいて、エネルギ消費機器の制御情報を生成し、
電力およびガスの料金プラン情報を取得し、
前記電力およびガスの検針値、ならびに、前記電力およびガスの料金プラン情報の取得先を、需要家またはプロバイダから指定された電力会社、ガス会社、およびＰＰＳ（Power Producer and Supplier）の少なくともいずれか一つのサーバから特定し、
前記電力およびガスの検針値ならびに前記電力およびガスの料金プラン情報を、前記取得先から当該取得先に応じた経路および通信方法で通信して取得する、
制御方法。
【請求項１８】
コンピュータに、
電力量計およびガスメーターにより計測された電力およびガスの検針値を取得する手順、
前記電力およびガスの検針値に基づいて、エネルギ消費機器の制御情報を生成する手順、
電力およびガスの料金プラン情報を取得する手順、
前記電力およびガスの検針値、ならびに、前記電力およびガスの料金プラン情報の取得先を、需要家またはプロバイダから指定された電力会社、ガス会社、およびＰＰＳ（Power Producer and Supplier）の少なくともいずれか一つのサーバから特定する手順、
前記電力およびガスの検針値ならびに前記電力およびガスの料金プラン情報を、前記取得先から当該取得先に応じた経路および通信方法で通信して取得する手順、
を実行させるためのプログラム。
【発明の詳細な説明】
【技術分野】
【０００１】
本発明は、制御装置、その制御方法、およびプログラムに関し、特に、電力およびガスを含むエネルギ消費機器を制御する制御装置、その制御方法、およびプログラムに関する。
【背景技術】
【０００２】
複数の建物の間において、ユーティリティからの情報に対応して、消費エネルギを制御する管理装置の一例が特許文献１に記載されている。特許文献１の管理装置は、機器の情報を収集して、消費エネルギ経歴を保存し、消費エネルギ経歴から最適消費エネルギパターンを作成し、そのパターンを隣接する他の建物に転送する構成を有している。
また、特許文献２には、空調制御装置の一例が記載されている。特許文献２の空調制御装置は、電気式ヒートポンプ空調機と、ガスヒートポンプ空調機を、コントローラが制御する。ガス用デマンド契約と電力用デマンド契約で定められる第１デマンド時限における契約ガス量と第２デマンド時限における契約電力量とを記憶し、ガスヒートポンプ空調機のガス料金と、電気式ヒートポンプ空調機の電気料金とのトータルのエネルギコストが抑制されるように、契約ガス量と契約電力量に基づいて、電気式ヒートポンプ空調機と、ガスヒートポンプ空調機の制御を行う。
【先行技術文献】
【特許文献】
【０００３】
【特許文献１】国際公開第２０１１／１０８２４４号
【特許文献２】特開２０１２−７８６８号公報
【発明の概要】
【発明が解決しようとする課題】
【０００４】
しかしながら、上記文献では、ガスヒートポンプ空調機および電気式ヒートポンプ空調機のガスおよび電力消費量を確認することが開示されるに過ぎず、家屋全体でのガスおよび電力消費量を確認することまで言及されていない。すなわち、空調機以外のエネルギ消費機器も含む、需要家の家屋全体でのガスおよび電力の消費量に基づくガス料金および電気料金をトータルで低く抑えることはできなかった。
【０００５】
本発明は上記事情に鑑みてなされたものであり、その目的とするところは、需要家の最適なエネルギ消費を可能とする制御装置、制御方法、およびプログラムを提供することにある。
【課題を解決するための手段】
【０００６】
本発明の各側面では、上述した課題を解決するために、それぞれ以下の構成を採用する。
【０００７】
第一の側面は、制御装置に関する。
第一の側面に係る制御装置は、
電力量計およびガスメーターにより計測された電力およびガスの検針値を取得する検針値取得手段と、
前記電力およびガスの検針値に基づいて、エネルギ消費機器の制御情報を生成する生成手段と、
電力およびガスの料金プラン情報を取得する料金情報取得手段と、
前記電力およびガスの検針値、ならびに、前記電力およびガスの料金プラン情報の取得先を、需要家またはプロバイダから指定された電力会社、ガス会社、およびＰＰＳ（Power Producer and Supplier）の少なくともいずれか一つのサーバから特定する特定手段と、を有し、
前記検針値取得手段および前記料金情報取得手段は、前記電力およびガスの検針値ならびに前記電力およびガスの料金プラン情報を、前記特定手段により特定された前記取得先から当該取得先に応じた経路および通信方法で通信して取得する。
【０００８】
第二の側面は、少なくとも１つのコンピュータにより実行される制御方法に関する。
第二の側面に係る制御方法は、制御装置が、
電力量計およびガスメーターにより計測された電力およびガスの検針値を取得し、
前記電力およびガスの検針値に基づいて、エネルギ消費機器の制御情報を生成し、
電力およびガスの料金プラン情報を取得し、
前記電力およびガスの検針値、ならびに、前記電力およびガスの料金プラン情報の取得先を、需要家またはプロバイダから指定された電力会社、ガス会社、およびＰＰＳ（Power Producer and Supplier）の少なくともいずれか一つのサーバから特定し、
前記電力およびガスの検針値ならびに前記電力およびガスの料金プラン情報を、前記取得先から当該取得先に応じた経路および通信方法で通信して取得する、ことを含む。
【０００９】
なお、本発明の他の側面としては、上記第二の側面の方法を少なくとも１つのコンピュータに実行させるプログラムであってもよいし、このようなプログラムを記録したコンピュータが読み取り可能な記録媒体であってもよい。この記録媒体は、非一時的な有形の媒体を含む。
このコンピュータプログラムは、コンピュータにより実行されたとき、コンピュータに、コンテンツ制御装置上で、その制御方法を実施させるコンピュータプログラムコードを含む。
【００１０】
なお、以上の構成要素の任意の組合せ、本発明の表現を方法、装置、システム、記録媒体、コンピュータプログラムなどの間で変換したものもまた、本発明の態様として有効である。
【００１１】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１２】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障のない範囲で変更することができる。
【００１３】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１４】
上記各側面によれば、需要家の最適なエネルギ消費を可能とする制御装置、制御方法、およびプログラムを提供することができる。
【図面の簡単な説明】
【００１５】
【図１】本発明の実施の形態に係る制御装置の論理的な構成を示す機能ブロック図である。
【図２】本発明の実施の形態に係る情報処理システムのシステム構成を概念的に示す図である。
【図３】本発明の実施の形態に係る制御装置が拡張機能を備えた場合の構成例を示す機能ブロック図である。
【図４】本発明の実施の形態に係る制御装置を実現するコンピュータの構成例を示すブロック図である。
【図５】本発明の実施の形態に係る制御装置の動作の一例を示すフローチャートである。
【図６】本発明の実施の形態に係る制御装置の論理的な構成を示す機能ブロック図である。
【図７】本発明の実施の形態に係る制御装置が拡張機能を備えた場合の構成例を示す機能ブロック図である。
【図８】本発明の実施の形態に係る制御装置が制御対象とする機器に関する機器リストの一例を示す図である。
【図９】本発明の実施の形態に係る制御装置の動作の一例を示すフローチャートである。
【図１０】本発明の実施の形態に係る制御装置の電気料金算出処理の手順の一例を示すフローチャートである。
【図１１】本発明の実施の形態に係る制御装置のガス料金算出処理の手順の一例を示すフローチャートである。
【図１２】本発明の実施の形態に係る制御装置の制御情報生成処理の手順の一例を示すフローチャートである。
【図１３】本発明の実施の形態に係る制御装置の電力消費機器制御情報生成処理の手順の一例を示すフローチャートである。
【図１４】本発明の実施の形態に係る制御装置のガス消費機器制御情報生成処理の手順の一例を示すフローチャートである。
【図１５】本発明の実施の形態に係る制御装置の電力およびガス消費機器制御情報生成処理の手順の一例を示すフローチャートである。
【図１６】本発明の実施の形態に係る制御装置の論理的な構成を示す機能ブロック図である。
【図１７】本発明の実施の形態に係る情報処理システムの概略構成を示すブロック図である。
【図１８】本発明の実施の形態に係る制御装置の動作の一例を示すフローチャートである。
【図１９】本発明の制御装置の実施例としてＨＥＭＳの構成例を示す機能ブロック図である。
【図２０】本発明の実施例の情報処理システムの動作手順を示すフローチャートである。
【図２１】本発明の実施例の情報処理システム全体の構成を示すブロック図である。
【図２２】本発明の実施例の情報処理システムの動作手順を示すフローチャートである。
【図２３】本発明の制御装置の実施例としてスマートメーターの通信ユニットの構成例を示す機能ブロック図である。
【図２４】本発明の実施例の情報処理システムの動作手順を示すフローチャートである。
【図２５】本発明の実施例の情報処理システムの動作手順を示すフローチャートである。
【図２６】本発明の実施例の情報処理システムの構成例を示すブロック図である。
【図２７】本発明の制御装置の実施例としてクラウドサーバの構成例を示す機能ブロック図である。
【図２８】本発明の実施例の情報処理システムの動作手順を示すフローチャートである。
【発明を実施するための形態】
【００１６】
以下、本発明の実施の形態について、図面を用いて説明する。尚、すべての図面において、同様な構成要素には同様の符号を付し、適宜説明を省略する。
【００１７】
（第１の実施の形態）
本発明の第１の実施の形態に係る制御装置、制御方法およびプログラムについて、以下説明する。
図１は、本発明の実施の形態に係る制御装置１００の構成を論理的に示す機能ブロック図である。
制御装置１００は、電力量計およびガスメーターにより計測された電力およびガスの検針値を取得する検針値取得部１０２と、電力およびガスの検針値に基づいて、エネルギ消費機器の制御情報を生成する生成部１０４と、を備える。
以下の各図において、本発明の本質に関わらない部分の構成については省略してあり、図示されていない。
【００１８】
図２は、本発明の実施の形態に係る情報処理システム１に関係するシステム全体構成例を概念的に示す図である。
本発明の情報処理システム１は、需要家の宅内の電力およびガスの消費量を検針する計量機能装置として、図２では、スマートメーター１０およびガスメーター１２を含む。さらに、情報処理システム１は、スマートメーター１０およびガスメーター１２で計測された電力およびガスの検針値を取得するＨＥＭＳ（Home Energy Management System：住宅向けエネルギ管理システム）４０と、を備える。
本実施形態では、図２のＨＥＭＳ４０が図１の制御装置１００に相当し、ＨＥＭＳ４０によって図１の検針値取得部１０２と生成部１０４が実現される。
本発明の制御装置１００の各要素を実現する装置は、この例に限定されず、複数の形態が考えられる。以下に例示するがこれらに限定されない。
（ａ１）ＨＥＭＳ４０が検針値取得部１０２と生成部１０４を実現する構成
（ａ２）スマートメーター１０が検針値取得部１０２と生成部１０４を実現する構成
（ａ３）クラウドサーバ３６が検針値取得部１０２と生成部１０４を実現する構成
本実施形態では、（ａ１）の構成例について説明する。他の構成例については、後述する。
【００１９】
以下、各装置または各機器間の接続方法は、無線および有線の少なくともいずれか一つとすることができ、特に限定されない。以下に示す通信方法は例示であり、これらに限定されない。各通信経路において、セキュリティ確保のための暗号化処理、ハッキング対策等が、適切に行われるのが望ましい。
【００２０】
スマートメーター１０は、通信機能を有する電力量計である。たとえば、スマートメーター１０は、電力会社２０から需要家に供給される。電力量計は、電力会社２０または電力小売事業者（不図示）から供給される電力の消費量を計測する。電力量計により計測される検針値は、消費電力瞬時値、所定期間（たとえば、３０分間）の消費電力積算値の少なくともいずれか一方、ならびに、各値の時刻情報を含む情報である。さらに、電力の検針値は、需要家の発電機（図２のＰＶシステム４２）等の余剰電力の逆潮流値と、その時刻情報を含んでもよい。
【００２１】
計測された電力の検針値は、スマートメーター１０から電力会社２０の電力会社サーバ２２に、所謂Ａルート（図中、ネットワーク３と示す）を介して定期的に送信される。電力会社サーバ２２は、受信した情報をデータベース（図中、「ＤＢ」と示す）２４に保存する。
【００２２】
スマートメーター１０と電力会社サーバ２２間のＡルートの通信方法は、特に限定されないが、たとえば、９２０ＭＨｚ帯を使用する特定小電力無線方式、または、３Ｇ（3rd Generation）やＬＴＥ（Long Term Evolution）等の携帯電話通信方式を利用することができる。
【００２３】
ガスメーター１２は、通信機能を有するガス流量計である。たとえば、ガスメーター１２は、ガス会社３０から需要家に供給される。ガスメーター１２は、ガス会社３０から供給される都市ガスまたはプロパンガスの使用量を計測する。計測されたガス使用量等の検針値と、ガスに関する情報は、ガスメーター１２からガス会社３０のガス会社サーバ３２に、ネットワーク５を介して送信されてもよい。ガス会社サーバ３２は、受信した情報をデータベース（図中、「ＤＢ」と示す）３４に保存する。
ガスメーター１２とガス会社サーバ３２間の通信方法は、限定されないが、たとえば、９２０ＭＨｚ帯を使用する特定小電力無線方式が採用される所謂Ｕバスエア通信方式を用いて他のガスメーター１２間をマルチホップ通信で中継し、または、３Ｇ（3rd Generation）やＬＴＥ（Long Term Evolution）等の携帯電話通信方式を利用することができる。
【００２４】
さらに、スマートメーター１０は、Ａルートとは別の所謂Ｂルート（図中、ネットワーク７と示す）を介して、ＨＥＭＳ４０に消費電力量などの検針値を含む情報を送信する。このスマートメーター１０とＨＥＭＳ４０間のＢルートの通信方法は、特に限定されないが、たとえば、９２０ＭＨｚ帯を使用する特定小電力無線方式、たとえば、ＷｉＳＵＮ等の通信規格に基づく通信方式、または、Ｚｉｇｂｅｅ（登録商標）等のＩＥＥＥ８０２．１５．４上で動作する無線通信規格の通信方式を利用することができる。
【００２５】
ガスメーター１２も、Ｂルート（ネットワーク７）を介してＨＥＭＳ４０にガス使用量などの検針値を含む情報を送信する。このガスメーター１２とＨＥＭＳ４０間のＢルートの通信方法は、特に限定されないが、たとえば、９２０ＭＨｚ帯を使用する特定小電力無線方式を利用することができる。
【００２６】
また、図２では、スマートメーター１０およびガスメーター１２がそれぞれ電力会社２０およびガス会社３０と通信するとともに、ＨＥＭＳ４０と通信する構成としているが、これに限定されない。他の例では、たとえば、ガスメーター１２がスマートメーター１０の通信モジュールを利用して検針値を送信する構成の場合、ガスメーター１２からガス使用量などの検針値を含む情報がスマートメーター１０に送信される。そして、スマートメーター１０がＡルートを経由して、電力使用量に関する情報とあわせて、ガス使用量に関する情報を電力会社２０に送信する。そして、電力会社２０は、ガス会社３０などにガスの使用量などの検針値を含む情報を送信する。また、スマートメーター１０のＢルートを経由してＨＥＭＳ４０に検針値を含む情報を転送してもよい。この構成では、ガスメーター１２は、少なくともスマートメーター１０と通信できる構成を有していればよく、ネットワーク５やネットワーク７に接続して通信する機能はなくてもよい。
【００２７】
ＨＥＭＳ４０は、スマートメーター１０およびガスメーター１２と接続されるとともに、さらに、エネルギ消費機器５０、太陽光発電（ＰＶ：PhotoVoltaics）システム４２、蓄電システム４４、および電気自動車（ＥＶ：Electric Vehicle、ＰＨＶ：Plug-in Hybrid Vehicle）４６等の電力関連装置に接続される。
【００２８】
ＨＥＭＳ４０と、エネルギ消費機器５０、ＰＶシステム４２、蓄電システム４４、および電気自動車４６等の各機器との間の通信方式は、特に限定されないが、たとえば、９２０ＭＨｚ帯を使用する特定小電力無線方式、たとえば、ＷｉＳＵＮ等の通信規格に基づく通信方式、または、Ｚｉｇｂｅｅ（登録商標）等のＩＥＥＥ８０２．１５．４上で動作する無線通信規格の通信方式を利用することができる。また、ＨＥＭＳ４０は、ECHONET Lite認証されたエネルギ消費機器５０とECHONET Lite通信規格に従って通信してもよい。
【００２９】
ＨＥＭＳ４０は、スマートメーター１０、ガスメーター１２、エネルギ消費機器５０、ＰＶシステム４２、蓄電システム４４、電気自動車４６と通信する通信機能を有しているものとは、各装置または各機器との通信方式に対応した通信インタフェース機能部（不図示）を備えているものとする。
【００３０】
エネルギ消費機器５０は、電力またはガスもしくはその両方を少なくとも消費する機器であり、電力を主に消費する電力消費機器５２およびガスを主に消費するガス消費機器５４を含む。エネルギ消費機器５０は、たとえば、給湯器、エアコン、照明機器等のECHONET Lite認証機器、床暖房システム、ガスコンロ、浴室暖房乾燥機、暖房機器、風呂給湯器等、様々な家電製品、ガス機器、ガス設備を含む。
電力消費機器５２には、電力に加えてガスも消費する機器が含まれてもよく、ガス消費機器５４には、ガスに加えて電力も消費する機器が含まれてもよい。すなわち、電力消費機器５２とガス消費機器５４との間に明確な区別はない。
【００３１】
たとえば、食器洗い乾燥機は、洗浄時は、ガス給湯による温水を利用し、乾燥時には電力により乾燥を行うため、電力消費機器５２にもガス消費機器５４にも含まれ得る。エネルギ消費機器５０は、食器洗い乾燥機のように、ガスと電力を切り替えて利用できたり、ガスと電力の消費比率を変えて利用できたりする機器を含んでもよい。この場合、生成部１０４は、エネルギ消費機器５０の制御情報に、電力とガスの消費比率の変更指示を含んで生成してもよい。
【００３２】
さらに、ＨＥＭＳ４０は、スマートメーター１０およびガスメーター１２から取得した情報を、ＡルートとＢルートとは異なるＣルート（公衆回線網等のネットワーク９）を介してガス会社３０または電力小売事業者（不図示）のクラウドサーバ３６等に転送する。また、後述する実施形態では、ＨＥＭＳ４０は、クラウドサーバ３６から需要制御情報（所謂デマンドレスポンス：ＤＲ：Demand Response）等を受信し、受信したＤＲに従い、エネルギ消費機器５０、ＰＶシステム４２、蓄電システム４４、電気自動車４６を制御したり、スマートメーター１０またはガスメーター１２に転送したりする。
ＨＥＭＳ４０とクラウドサーバ３６間の通信方式は、特に限定されないが、たとえば、ＷｉＭＡＸ（Worldwide Interoperability for Microwave Access）、３Ｇ、またはＬＴＥ等の無線通信方式を使用できる。
【００３３】
クラウドサーバ３６は、ガス会社３０または電力小売事業者以外のサーバでもよく、たとえば、エネルギ消費機器５０、ＰＶシステム４２、蓄電システム４４、および電気自動車４６の少なくともいずれか一つを製造または販売する事業者（たとえば、家電メーカ、家電製品量販店、ガス設備またはガス機器メーカ等）、あるいは、需要家に様々なサービスを提供するプロバイダ３５のサーバであってもよい。
【００３４】
本実施形態では、ＨＥＭＳ４０は、上述したように、異なる通信プロトコルで複数の装置または機器と通信を行うゲートウェイ機能を有しているが、これに限定されない。たとえば、各装置または機器との通信機能は他のゲートウェイ装置またはルータに任せ、ＨＥＭＳ４０は、ゲートウェイまたはルータを経由して各装置または機器との通信を行う構成でもよい。
【００３５】
本実施形態では、ＨＥＭＳ４０は、モバイル型の形態とし、宅内で通信環境のよい場所を選んで設置できるものとする。なお、ＨＥＭＳ４０は、宅外に持ち出された場合に、使用できなくなるような機能を有するのが好ましい。たとえば、宅内の分電盤などにブルートゥースまたは無線ＬＡＮ（Local Area Network）通信機能を持たせ、分電盤との通信距離が所定範囲内にＨＥＭＳ４０が存在することが確認できた場合のみ、ＨＥＭＳ４０を動作可能に制御するようにしてもよい。存在確認方法は、様々考えられるが、ブルートゥースの通信エリア内にＨＥＭＳ４０が存在するか否かの判定、または、無線ＬＡＮで分電盤またはＨＥＭＳ４０側からビーコンを発信し、レスポンスがあるか否かの判定などを含む。
【００３６】
また、ＨＥＭＳ４０は、電力測定装置を含んでもよく、住宅用分電盤に含まれてもよい。また、電力測定装置または分電盤には、たとえば、ＣＴ（Current Transformer：変流器）が接続されてもよい。ＣＴにより、分電盤に接続される複数機器（図２では、エネルギ消費機器５０、ＰＶシステム４２、蓄電システム４４、電気自動車４６等）全体の総消費電流の電流波形を取得してもよい。分電盤に接続される複数機器の全体の総消費電力は、１つのＣＴにより取得してもいいし、複数のＣＴにより取得してもよい。
ＨＥＭＳ４０は、計測された各機器の電力使用量に関する情報を取得して使用したり、無線通信でクラウドサーバ３６に送信したりする機能を有してもよい。
【００３７】
図１に戻り、検針値取得部１０２は、電力量計およびガスメーターにより計測された電力およびガスの検針値を取得する。
本明細書において、「取得」とは、自装置が他の装置や記憶媒体に格納されているデータまたは情報を取りに行くこと（能動的な取得）、たとえば、他の装置にリクエストまたは問い合わせして受信すること、他の装置や記憶媒体にアクセスして読み出すこと等、および、自装置に他の装置から出力されるデータまたは情報を入力すること（受動的な取得）、たとえば、配信（または、送信、プッシュ通知等）されるデータまたは情報を受信すること等、の少なくともいずれか一方を含む。また、受信したデータまたは情報の中から選択して取得すること、または、配信されたデータまたは情報を選択して受信することも含む。
【００３８】
検針値取得部１０２が取得する情報は、検針値だけでなく、電力およびガスに関する情報を含んでもよい。たとえば、上述したように、スマートメーター１０から取得する検針値は、消費電力瞬時値、所定期間（たとえば、３０分間）の消費電力積算値の少なくともいずれか一方、ならびに、各値の時刻情報を含む情報でもよいし、需要家の発電機（図２のＰＶシステム４２）等の余剰電力の逆潮流値と、その時刻情報を含んでもよい。ガスメーター１２から取得する検針値は、ガス使用量等の検針値と、ガスに関する情報（たとえば、ガス遮断に関する情報（流量オーバー遮断、継続使用時間オーバー遮断、圧力低下遮断、漏洩検知遮断、地震遮断等））、ならびに、各値の時刻情報を含む情報を含んでもよい。
【００３９】
生成部１０４は、電力およびガスの検針値に基づいて、エネルギ消費機器５０の制御情報を生成する。
【００４０】
図３は、本実施形態の制御装置１００が拡張機能を備えた場合の構成例を示す機能ブロック図である。
本実施形態において、制御装置１００は、さらに、生成部１０４が生成した制御情報に基づいて、エネルギ消費機器５０の最適制御に関する情報を需要家に通知する通知部１０６を備えてもよい。
制御の対象となる機器は、エネルギ消費機器５０だけでなく、ＰＶシステム４２、蓄電システム４４、および電気自動車４６の少なくともいずれか一つを含んでもよい。
【００４１】
制御情報は、たとえば、制御の対象となる機器の識別情報（型番、需要家が予め登録した名前、および製品種別（たとえば、冷蔵庫、エアコン等）等の少なくともいずれか一つ）と、その機器を制御する時間指定情報（指定期間（何日から何日、何時から何時）、指定曜日、指定日時、指定時間帯（夜間、昼間等）等）と、制御内容（運転／停止／モード設定、温度設定、制御の対象が電力かガスかの指定等）を含む。
通知部１０６は、たとえば、ＨＥＭＳ４０が備える表示部（液晶ディスプレイ、有機ＥＬ（（ElectroLuminescence））ディスプレイ、ＬＥＤ（Light Emitting Diode）表示器）、または、ＨＥＭＳ４０とともに利用されるタブレット端末（不図示）等に表示する。または、通知部１０６は、需要家が予め登録している端末またはメールアドレスにメッセージを送信してもよい。メッセージを受信した端末は、たとえば、アプリケーション等により、メッセージをポップアップ表示して、需要家にメッセージの受信を通知する機能を有してもよい。通知部１０６によるこれらの通知を受けて、需要家によりエネルギ消費機器５０の制御が行われる。
【００４２】
需要家によるこれらの情報の登録方法は、様々考えられるが、例として、たとえば、本システムの利用に際し、所定のウェブサイトにアクセスしてユーザ登録を行い、ログインして各種設定を行ってよい。
【００４３】
本実施形態において、制御装置１００は、さらに、生成部１０４が生成した制御情報に基づいて、エネルギ消費機器５０を制御する制御部１０８を備えてもよい。
制御の対象となる機器は、エネルギ消費機器５０だけでなく、ＰＶシステム４２、蓄電システム４４、および電気自動車４６の少なくともいずれか一つを含んでもよい。
制御部１０８は、上記制御情報に基づいて、制御の対象となる機器に対して、指定された時間に、指定された制御内容で自動的に制御を行う。
【００４４】
制御装置１００は、上記の通知部１０６および制御部１０８いずれか一つを備えてもよいし、両方を備えてもよい。本実施形態では、通知部１０６は、ＨＥＭＳ４０が備える構成として説明するが、他の例では、生成部１０４が生成した制御情報をクラウドサーバ３６等、他のコンピュータが受信し、コンピュータが有している表示部（不図示）に表示する構成としてもよい。
【００４５】
制御部１０８による制御開始前または制御終了前に需要家に制御内容を通知し、需要家の承諾を得てから制御開始または制御終了する構成としてもよいし、制御部１０８により自動制御が行われたことと、その制御内容を需要家に通知する構成としてもよい。
【００４６】
図４は、制御装置１００を実現するコンピュータ６０の構成例を示すブロック図である。
コンピュータ６０は、ＣＰＵ（Central Processing Unit）６２、メモリ６４、メモリ６４にロードされた図１または図３の構成要素を実現するプログラム７０、そのプログラム７０を格納するハードディスクなどのストレージ６６、ネットワーク接続用インタフェース（Ｉ／Ｏ（Input/Output）６８）を備える。メモリ６４、ストレージ６６およびＩ／Ｏ６８は、バス６９を介して互いに接続され、ＣＰＵ６２により各要素とともに制御装置１００全体が制御される。
【００４７】
図１または図３の本実施形態の制御装置１００の各構成要素は、図４のコンピュータ６０のハードウェアとソフトウェアの任意の組合せによって実現される。そして、その実現方法、装置にはいろいろな変形例があることは、当業者には理解されるところである。以下説明する各実施形態の制御装置を示す機能ブロック図は、ハードウェア単位の構成ではなく、論理的な機能単位のブロックを示している。また、コンピュータ６０は、複数であってもよく、各コンピュータに機能分担させてもよい。
【００４８】
図４のコンピュータ６０のＣＰＵ６２が、ストレージ６６に記憶されるプログラム７０をメモリ６４に読み出して実行することにより、制御装置１００の図１または図３の各ユニットの各機能を実現することができる。
【００４９】
本実施形態のコンピュータプログラム７０は、制御装置１００を実現させるためのコンピュータ６０に、電力量計およびガスメーターにより計測された電力およびガスの検針値を取得する手順、電力およびガスの検針値に基づいて、エネルギ消費機器５０の制御情報を生成する手順、を実行させるように記述されている。
【００５０】
本実施形態のコンピュータプログラム７０は、コンピュータ６０で読み取り可能な記録媒体に記録されてもよい。記録媒体は特に限定されず、様々な形態のものが考えられる。また、プログラム７０は、記録媒体からコンピュータ６０のメモリ６４にロードされてもよいし、ネットワークを通じてコンピュータ６０にダウンロードされ、メモリ６４にロードされてもよい。
【００５１】
コンピュータプログラム７０を記録する記録媒体は、非一時的な有形のコンピュータ６０が使用可能な媒体を含み、その媒体に、コンピュータ６０が読み取り可能なプログラムコードが埋め込まれる。コンピュータプログラム７０が、コンピュータ６０上で実行されたとき、コンピュータ６０に、制御装置１００を実現する以下の制御方法を実行させる。
【００５２】
このように構成された本実施形態の制御装置１００の制御方法について、以下説明する。
図５は、本実施形態の制御装置１００の動作の一例を示すフローチャートである。
本発明の実施の形態に係る制御方法は、制御装置１００の制御方法であり、制御装置１００を実現するコンピュータ６０により実行される制御方法である。
本実施形態の制御方法は、制御装置１００が、電力量計およびガスメーターにより計測された電力およびガスの検針値を取得し（ステップＳ１０１）、電力およびガスの検針値に基づいて、エネルギ消費機器５０の制御情報を生成する（ステップＳ１０３）ことを含む。
【００５３】
以上説明したように、本実施形態の制御装置１００において、検針値取得部１０２により、電力量計およびガスメーターにより計測された電力およびガスの検針値が取得され、生成部１０４により、電力およびガスの検針値に基づいて、エネルギ消費機器５０の制御情報が生成される。
この構成によれば、制御情報は、電力とガスの両方の検針値に基づいて、生成されるため、需要家の家屋全体の電力とガスの消費量に基づいて、エネルギ消費機器５０を制御することが可能になる。
このようなエネルギ消費機器５０の制御により、需要家の家屋全体でのガス料金および電気料金をトータルで抑えることも可能となり、ひいては、需要家の最適なエネルギ消費を実現できる。
【００５４】
（第２の実施の形態）
次に、本発明の第２の実施の形態に係る制御装置および制御方法について、以下説明する。なお、本実施形態のプログラムは、上記実施形態と同様に、制御装置の制御方法を少なくとも１つのコンピュータに実行させるものであり、本実施形態での詳細な説明は省略する。
図６は、本発明の実施の形態に係る制御装置２００の論理的な構成を示す機能ブロック図である。
本実施形態の制御装置２００は、上記実施形態の制御装置１００とは、さらに、電力およびガスの料金プラン情報をさらに取得し、料金プラン情報もさらに加味してエネルギ消費機器５０の制御情報を生成する構成を有する点で相違する。
本実施形態の制御装置２００は、上記実施形態の制御装置１００と同様な検針値取得部１０２を有するとともに、さらに、料金情報取得部２０２と、生成部２０４とを有する。
【００５５】
制御装置２００において、料金情報取得部２０２は、電力およびガスの料金プラン情報を取得する。
生成部２０４は、上記実施形態の生成部１０４と同様な機能を有するとともに、さらに、電力およびガスの検針値と、電力およびガスの料金プラン情報とに基づいて、エネルギ消費機器５０の制御情報を生成する。
【００５６】
電力およびガスの料金プラン情報とは、従来の電力またはガスの料金プラン情報だけでなく、電力とガスの組み合わせに基づく料金プラン情報を含む。たとえば、従来の料金プランは、たとえば、電力であれば、基本料金（瞬時電流の最大値を想定した契約の大きさ（以下、「契約アンペア数」とも呼ぶ）で決定）と、使用電力量に基づく電気料金と、使用時間帯や使用電力量の制限（閾値以上の使用で料金高）等に応じて設定される料金体系の情報を含む。また、ガスであれば、基本料金（月毎の使用量に応じて決定）と、従量料金との情報を含む。
【００５７】
本発明の電力とガスの組み合わせに基づく料金プラン情報とは、たとえば、ガス会社３０が新電力事業を行っている場合や、ガス会社３０が電力会社２０または他の新電力事業者と提携してサービスを提供する場合等に、対象となる電力とガスの利用に基づいて設定される料金体系の情報を含む。たとえば、所定の新電力とガスの利用でお得な料金となったり、後述するデマンドレスポンスに呼応して電力とガスの利用を切り替えた場合にインセンティブが付与されたりといった情報を料金プラン情報に含んでもよい。
【００５８】
料金情報取得部２０２は、電力およびガスに関する料金プラン情報の取得先情報に基づいて、各取得先に、料金プラン情報を要求して取得してもよい。
たとえば、料金プラン情報の取得先は、電力会社２０、新電力事業者（ガス会社３０を含む）、および他のサービス提供事業者の少なくともいずれか一つのサーバ（電力会社サーバ２２、ガス会社サーバ３２、およびクラウドサーバ３６の少なくともいずれか一つ）である。取得先情報は、これらのサーバから情報を取得するための、サーバのＩＰアドレスまたは識別情報、あるいは、所定のウェブサイトのＵＲＬ（Uniform Resource Locator）である。
【００５９】
サーバまたはウェブサイトから取得する場合、自動的に取得してもよいし、需要家が手動で指示し、指示に従い取得してもよい。自動的に取得する場合、サーバまたはウェブサイトから、料金プランの更新情報を取得し、料金プランが更新されたことを検知した場合に、要求してもよいし、サーバから自動的に送信された更新後の料金プランを自動的に受信してもよい。定期的に更新の有無を、取得先に自動的に問い合わせ、更新が有る場合に、自動的に更新された料金プラン情報を取得してもよい。または、定期的に料金プラン情報を取得し、前回取得した情報との差異があるかないかを判別し、差異があった場合に料金プランが更新されたことを検知してもよい。そして、更新された場合に、予め料金プランを適用するか否か、需要家に問い合わせ、適用するプランの選択を受け付けて、需要家により選択された料金プランを取得してもよいし、予め需要家により設定されている条件（たとえば、以前より料金がお得になるプランであれば自動更新する等）に従い自動的に更新後の料金プランを取得してもよい。
【００６０】
制御装置２００は、取得先情報を前記サーバのうち、少なくともいずれか一つから取得し、メモリ６４等に記憶しておく。あるいは、前記サーバの少なくともいずれか一つから、料金プラン情報が、メール本文またはメールに添付されて、需要家のＨＥＭＳ４０またはユーザ端末に送信されてもよい。ユーザ端末にメールで送信された場合、ユーザ端末からＨＥＭＳ４０に料金プラン情報を転送してもよい。転送は、ブルートゥース、無線ＬＡＮ、あるいは、赤外線通信等で、ユーザ端末がＨＥＭＳ４０と通信して行ってもよい。あるいは、ユーザ端末から記録媒体（ＳＤカード、ＵＳＢメモリ等）に料金プラン情報を記録し、ＨＥＭＳ４０が記録媒体から読み出して取得してもよいし、ＨＥＭＳ４０をユーザ端末に有線で接続して料金プラン情報を送受信してもよい。
【００６１】
生成部２０４による、電力およびガスの検針値ならびに、料金プラン情報に基づく、制御情報の生成について、以下説明する。
需要家の現在の電力およびガスの料金プラン情報と、電力およびガスの検針値の情報から、支払い料金を算出する。今後の支払い料金が、より安くなるような、電力とガスの利用の組み合わせを決定する。支払い料金は、所定の時間単位や時間帯毎に算出し、その時間単位や時間帯毎に、電力とガスの利用の組み合わせも決定してもよい。
そして、生成部２０４は、決定された組み合わせに基づいて、電力消費機器５２とガス消費機器５４に対する制御情報を生成する。
【００６２】
さらに、制御装置２００は、エネルギ消費機器５０（電力消費機器５２、ガス消費機器５４）から、その利用状況、動作状況、および各センサの情報、および利用効率に関する情報のうち少なくとも一つを含む機器情報を取得する機器情報取得部（不図示）をさらに備えてもよい。生成部２０４は、機器情報取得部が取得したエネルギ消費機器５０の機器情報をさらに用いて、制御情報を生成してもよい。
【００６３】
たとえば、電力消費機器５２とガス消費機器５４のそれぞれの利用状況や動作状況（動作、停止、モード等）、各センサの情報（温度、湿度、風速、風量、風向、空気中の不純物質濃度、臭い、光、人感、重量、移動、加速度、ＧＰＳ（Global Positioning System）、水位、水流等）の現在の情報、および利用効率に関する情報を取得し、制御情報の生成に利用してもよい。
【００６４】
また、これらの情報の履歴を保存し、履歴情報をさらに利用してもよい。利用効率に関する情報とは、たとえば、外気がある温度の場合に室温を所定の温度に保つために、エアコンと床暖房とを利用した場合に、それぞれ必要な消費電力量とガス使用量の情報を含む。また、電力消費機器５２とガス消費機器５４を需要家が利用する時間帯（平日と週末を区別してもよい）を、履歴から判別してもよい。必要な消費電力量とガス使用量と、電力とガスの料金情報から、かかる費用を算出し、料金がより安くなる組み合わせを求める。
【００６５】
本実施形態の制御装置２００は、さらに、選択部２０６と、特定部２０８と、の少なくともいずれか１つをさらに備えてもよい。図７は、図６の制御装置２００が、選択部２０６と、特定部２０８と、をさらに備えている構成例を示している。
選択部２０６は、制御情報に基づく制御の対象となる機器に関し、エネルギ消費機器５０を識別可能なリスト情報を保持し、リスト情報に基づいて、制御情報に基づく制御の対象となる機器を選択する。
【００６６】
エネルギ消費機器５０を識別可能なリスト情報とは、たとえば、機器の名称（たとえば、エアコン、床暖房、冷蔵庫、照明等）、製造メーカ名、製品名（ブランド名）、型番、製造番号等の情報の少なくともいずれかを含む。さらに、需要家が複数台同じ機器を有している場合は、使用場所（リビング、キッチン、トイレ、風呂、洋室１、洋室２、和室等）または単純に識別子（１、２等の）を付加してもよい。リスト情報は、需要家が使用している機器が、何か（エアコン）、２つあるならどれか（エアコン１、エアコン２）等の情報を少なくとも含む。さらに、各機器がガスと電力のいずれを消費する機器かまたは両方を消費する機器の場合その消費比率等の情報をさらに含む。また、ＨＥＭＳ４０が、各機器を制御するために、リスト情報は、各機器のＩＰアドレス情報をさらに含んでもよい。
【００６７】
図８は、本実施形態のリスト情報の一例として機器リスト２１０の例を示す図である。
図８の例では、需要家が使用している機器の機器リスト２１０が、少なくとも、機器の識別情報（ＩＰアドレスまたは機器種別）と、各機器がガスと電力のいずれを消費するかの情報を含んでいる。
機器リスト２１０において、機器種別は、たとえば、エアコン、床暖房、冷蔵庫、照明等の名称と、複数台の機器を識別する情報（エアコン１の「１」等）を含む。機器種別は、機器の名称以外に、製造メーカ名、製品名（ブランド名）、型番、製造番号等の情報であってもよい。
さらに、機器リスト２１０は、図示しないが、需要家が使用している機器の一覧が、エネルギ消費量（モード別）、使用時間帯、使用場所、優先順位等の情報を機器毎に含んでもよい。あるいは、機器リスト２１０は、需要家が使用している機器のみを含み、別リストで、機器毎に機器の各情報を有してもよい。
【００６８】
上述した優先順位は、需要家、プロバイダ３５、ガス会社３０、ＰＰＳ（Power Producer and Supplier）８０、および電力会社２０のうち少なくともいずれか１つが、予め指定してもよい。優先順位は、たとえば、電気料金が第１所定値以上となった場合、または、第１所定値以上になると予測される場合などに、停止させる候補とする優先順位、および、電気料金が第１所定値より低い第２所定値未満であり、デマンドレスポンス等による電力消費量の削減要求がない場合などに、動作させる候補とする優先順位の少なくともいずれか１つであってもよい。
また、機器リスト２１０は、電力消費機器５２のリビングのエアコン（暖房）とリビングのガス消費機器５４の床暖房等のように、互いに同じ部屋で同じ機能を有する機器を予め代替機器として関連付ける情報を含んでもよい。
【００６９】
本実施形態では、ＨＥＭＳ４０が、機器リスト２１０をストレージ６６またはメモリ６４に保持している。機器リスト２１０の取得方法および保存場所は、様々考えられ、以下に例示されるが、これらに限定されない。また、これらは複数を組み合わせてもよい。また、機器リスト２１０のうち、需要家が使用している機器の情報を保持する装置と、各機器の属性情報（電力とガスの別等）を保持する装置が異なっていてもよい。
（ｂ１）本システムを利用する際に、需要家が使用している各機器の情報をＨＥＭＳ４０またはクラウドサーバ３６に登録する。各機器の属性情報は、需要家が登録してもよいし、ＨＥＭＳ４０またはクラウドサーバ３６が収集または予め保持している機器の属性情報を用いて、需要家が使用している各機器の情報と関連付けてもよい。
（ｂ２）ＨＥＭＳ４０が、各機器に問い合わせて機器の情報を取得し、保持する。各機器の属性情報は、ＨＥＭＳ４０が予め保持している機器の属性情報を用いてもよいし、各機器から取得してもよいし、クラウドサーバ３６や機器メーカのホームページにアクセスして、機器の型式などの情報に基づいて、取得し、需要家の機器の情報と関連付けて保持してもよい。
（ｂ３）クラウドサーバ３６が、機器メーカなどから需要家がユーザ登録した機器の情報と、その機器の属性情報を取得し、関連付けて保持する。必要に応じて、クラウドサーバ３６がＨＥＭＳ４０に機器の情報およびその属性情報を提供してもよい。
（ｂ４）クラウドサーバ３６が、需要家からの登録により需要家が使用している機器の情報を取得するとともに、機器メーカなどから機器の属性情報を取得し、関連付けて保持する。
【００７０】
特定部２０８は、電力およびガスの検針値、ならびに、電力およびガスの料金プラン情報の取得先を特定する。
検針値取得部１０２は、特定部２０８が特定した取得先から電力およびガスの検針値を取得する。
料金情報取得部２０２は、特定部２０８が特定した取得先から電力およびガスの料金プラン情報を取得する。
【００７１】
電力およびガスの検針値、ならびに、電力およびガスの料金プラン情報の取得先と、取得経路は様々考えられ、以下に例示されるが、これらに限定されない。
＜電力の検針値の取得先と経路＞
（ｃ１）スマートメーター１０からＢルートでＨＥＭＳ４０が取得
（ｃ２）スマートメーター１０からＢルートでＨＥＭＳ４０が取得し、さらにＣルートでクラウドサーバ３６（ＰＰＳサーバ８２、ガス会社サーバ３２）が取得
（ｃ３）スマートメーター１０からＡルートで電力会社サーバ２２が取得し、電力会社サーバ２２からクラウドサーバ３６（ＰＰＳサーバ８２、ガス会社サーバ３２）が所定のネットワークを介して取得
（ｃ４）スマートメーター１０からＡルートで電力会社サーバ２２が取得し、電力会社サーバ２２からクラウドサーバ３６（ＰＰＳサーバ８２、ガス会社サーバ３２）が所定のネットワークを介して取得し、クラウドサーバ３６（ＰＰＳサーバ８２、ガス会社サーバ３２）からＣルートを介してＨＥＭＳ４０が取得
【００７２】
＜ガスの検針値の取得先と経路＞
（ｄ１）ガスメーター１２から（スマートメーター１０経由で）ＢルートでＨＥＭＳ４０が取得
（ｄ２）ガスメーター１２から（スマートメーター１０経由で）ＢルートでＨＥＭＳ４０が取得し、さらにＣルートでクラウドサーバ３６（ＰＰＳサーバ８２、ガス会社サーバ３２）が取得
（ｄ３）ガスメーター１２からＵバス経由でガス会社サーバ３２が取得し、ガス会社サーバ３２からＣルートを介してＨＥＭＳ４０が取得
（ｄ４）ガスメーター１２からＵバス経由でガス会社サーバ３２が取得し、ガス会社サーバ３２から所定のネットワークを介してクラウドサーバ３６（ＰＰＳサーバ８２）が取得
（ｄ５）ガスメーター１２からＵバス経由でガス会社サーバ３２が取得し、ガス会社サーバ３２から所定のネットワークを介してクラウドサーバ３６（ＰＰＳサーバ８２）が取得し、クラウドサーバ３６（ＰＰＳサーバ８２）からＣルートを介してＨＥＭＳ４０が取得
【００７３】
＜料金プランの取得先と経路＞
（ｅ１）電力会社サーバ２２（ガス会社サーバ３２）から所定のネットワークを介してクラウドサーバ３６が取得し、Ｃルートを介してＨＥＭＳ４０が取得
（ｅ２）ガス会社サーバ３２またはＰＰＳサーバ８２からＣルートを介してＨＥＭＳ４０が取得
上記のように制御装置２００が電力の検針値、ガスの検針値、料金プランなどを取得する方法は、制御装置２００がＨＥＭＳ４０やクラウドサーバ３６にある場合を想定している。
【００７４】
特定部２０８は、これらの取得先と経路の情報（たとえば、取得先のＩＰアドレス、通信方法の指定）を予め保持しておき、取得先情報を参照して特定してもよい。取得先と経路の情報は、需要家またはプロバイダ３５が事前に登録してもよいし、システムの構成に変更があった場合等は、需要家またはプロバイダ３５により変更されてもよい。
【００７５】
このように構成された本実施形態の制御装置２００の制御方法について、以下説明する。
図９は、本実施形態の制御装置２００の動作の一例を示すフローチャートである。
本発明の実施の形態に係る制御方法は、制御装置２００の制御方法であり、制御装置２００を実現するコンピュータ６０（図４）により実行される制御方法である。
本実施形態の制御方法は、制御装置２００が、電力量計およびガスメーターにより計測された電力およびガスの検針値を取得し（ステップＳ２０５）、電力およびガスの料金プラン情報を取得し（ステップＳ２０７）、電力およびガスの検針値と、電力およびガスの料金プラン情報とに基づいて、エネルギ消費機器５０の制御情報を生成する（ステップＳ２０９）、ことを含む。
【００７６】
より詳細には、特定部２０８が、電力およびガスの検針値の取得先としてスマートメーター１０を特定し、通信方法として、９２０ＭＨｚ帯使用の無線通信方式を利用したＢルートを特定する（ステップＳ２０１）。さらに、特定部２０８が、電力およびガスの料金プラン情報の取得先として、ガス会社３０のガス会社サーバ３２を特定する（ステップＳ２０３）。そして、検針値取得部１０２が、特定部２０８により特定された取得先（スマートメーター１０）から電力量計およびガスメーターにより計測された電力およびガスの検針値を取得する（ステップＳ２０５）。そして、料金情報取得部２０２が、特定部２０８により特定された取得先（ガス会社３０のガス会社サーバ３２）から電力およびガスの料金プラン情報を取得する（ステップＳ２０７）。
生成部２０４が、電力およびガスの検針値と、電力およびガスの料金プラン情報とに基づいて、エネルギ消費機器５０の制御情報を生成する（ステップＳ２０９）。
【００７７】
以下、生成部１０４が制御情報を生成する手順について、具体例を説明するが、本発明の制御情報の生成処理は、これに限定されない。
図１０から図１２は、本実施形態の制御装置２００の制御情報生成処理の手順の一例を示すフローチャートである。
本処理フローを実行するタイミングは様々考えられ、以下に例示されるが、これらに限定されない。また、以下のタイミングを複数組み合わせてもよい。
（ｆ１）定期的（たとえば、数時間毎、定時、所定日数毎、週毎、月毎、締め日など）
（ｆ２）時間帯別の電気料金を契約している場合、時間帯が切り替わる前後
（ｆ３）デマンドレスポンスを受信したとき
（ｆ４）需要家が手動でリクエストしたとき（たとえば、ＨＥＭＳ４０の操作部（不図示）の操作による）
【００７８】
まず、生成部１０４は、電力およびガスの検針値と、電力およびガスの料金プラン情報に基づいて、電気料金を算出する。
図１０は、需要家の電気料金を算出する処理の一例を示すフローチャットである。
具体的には、図１０に示すように、生成部１０４が、需要家の契約アンペア数に対応する基本料金を取得し（ステップＳ２１１）、電力の検針値、たとえば、消費電力積算値（３０分値）の履歴に基づいて、需要家の所定期間（時間帯別）における消費電力精算値を算出する（ステップＳ２１３）。
さらに、生成部１０４が、電力の料金プラン情報を参照し、時間帯別の電力量料金単価を取得し（ステップＳ２１５）、取得した単価に基づいて、時間帯毎の消費電力積算値に対する電力量料金を算出する（ステップＳ２１７）。各時間帯の電力量料金と基本料金とを合計して電気料金を算出する（ステップＳ２１９）。
【００７９】
図１１は、需要家のガス料金を算出する処理の一例を示すフローチャートである。
一方、図１１に示すように、生成部１０４は、需要家のガスの検針値を精算して、当月のガス使用量を算出し（ステップＳ２１１）、算出したガス使用量に応じた基本料金を取得する（ステップＳ２２３）。さらに、生成部１０４は、ガス使用量に応じた単位料金を取得し（ステップＳ２２５）、単位料金とガス使用量に基づいて、従量料金を算出し（ステップＳ２２７）、基本料金と従量料金を合計し、ガス料金を算出する（ステップＳ２２９）。
図１０および図１１の処理は、並行して実行してもよいし、異なるタイミングで実行されてもよい。
【００８０】
図１２は、制御情報を生成する処理の一例を示すフローチャートである。
図１２に示すように、生成部１０４は、算出された電気料金とガス料金がそれぞれ所定値（α，β）未満か否か判定する（ステップＳ２４１）。電気料金とガス料金の両方がそれぞれ所定値未満の場合（ステップＳ２４１のＣＡＳＥ１）、生成部１０４は、制御対象となる機器はないことを示す制御情報を生成し（ステップＳ２４３）、本処理を終了する。
【００８１】
なお、本実施形態では、電気料金とガス料金がそれぞれ所定値未満の場合に、制御を行わない構成としているが、これに限定されない。たとえ所定値未満であっても、生成部１０４が、現状より効率のよいエネルギ消費が行われるように制御情報を生成してもよい。また、生成部１０４は、現状より料金が安くなるような制御情報を生成してもよい。
【００８２】
電気料金が所定値以上、かつ、ガス料金が所定値未満の場合（ステップＳ２４１のＣＡＳＥ２）、図１３の電力消費機器制御情報生成処理に進む（ステップＳ２４５）。電気料金が所定値未満、かつ、ガス料金が所定値以上の場合（ステップＳ２４１のＣＡＳＥ３）、図１４のガス消費機器制御情報生成処理に進む（ステップＳ２４７）。電気料金が所定値以上、かつ、ガス料金が所定値以上の場合（ステップＳ２４１のＣＡＳＥ４）、図１５の電力およびガス消費機器制御情報生成処理に進む（ステップＳ２４９）。各処理を実行後、本処理を終了する。
【００８３】
図１３は、本実施形態の電力消費機器制御情報生成処理の手順の一例を示すフローチャートである。
図１２のステップＳ２４１で、電気料金が所定値以上、かつ、ガス料金が所定値未満の場合（ステップＳ２４１のＣＡＳＥ２）、本処理（ステップＳ２４５）が実行される。
まず、選択部２０６が、機器リスト２１０を参照し、電力消費機器５２、または、電力消費量が所定値以上の機器を検索し、停止候補として抽出する（ステップＳ２５１）。停止候補が抽出されなかった場合（ステップＳ２５１のＮＯ）、通知部１０６が、電力消費を削減できないこと示す情報を需要家に通知し（ステップＳ２５２）、図１２に戻り、処理を終了する。
【００８４】
停止候補が抽出された場合（ステップＳ２５１のＹＥＳ）、選択部２０６は、機器リスト２１０を参照し、ステップＳ２５１で抽出した停止候補の電力消費機器５２の代替機器のガス消費機器５４がないか検索し、動作候補として抽出する（ステップＳ２５３）。
動作候補が抽出された場合（ステップＳ２５３のＹＥＳ）、生成部１０４は、当該ガス消費機器５４に対応する停止候補の電力消費機器５２について、動作停止することと、当該代替機器のガス消費機器５４について、動作開始を行うことを示す制御情報を生成する（ステップＳ２５５）。このとき、制御情報に、ガス消費機器５４の動作モード、設定温度などの設定を示す情報を含んでもよい。その後、図１２に戻り、処理を終了する。
【００８５】
ステップＳ２５３で複数の電力消費機器５２が停止候補として抽出された場合、選択部２０６は、予め指定された優先順位に従って、需要家宅全体の総消費電力量（瞬時値または積算値）が所定値未満になるまで、少なくとも１つの電力消費機器５２を停止対象として選択してもよい（不図示）。
【００８６】
動作候補が抽出されなかった場合（ステップＳ２５３のＮＯ）、選択部２０６および生成部１０４は、停止候補の電力消費機器５２の種別と、予め指定された優先順位と、電力消費機器５２のモード別消費電力量の情報などに基づいて、停止対象電力消費機器５２の選択および制御内容を決定する（ステップＳ２５７）。制御内容とは、たとえば、電力消費機器５２を停止する、または、節電モードに切り替える、設定温度を調整する等の制御を含む。
生成部１０４は、ステップＳ２５７で選択された電力消費機器５２を、決定された制御内容で制御することを示す制御情報を生成する（ステップＳ２５９）。その後、図１２に戻り、処理を終了する。
【００８７】
図１４は、本実施形態のガス消費機器制御情報生成処理の手順の一例を示すフローチャートである。
図１２のステップＳ２４１で、電気料金が所定値未満、かつ、ガス料金が所定値以上の場合（ステップＳ２４１のＣＡＳＥ３）、本処理（ステップＳ２４７）が実行される。
まず、選択部２０６が、機器リスト２１０を参照し、ガス消費機器５４、または、ガス使用量が所定値以上の機器を検索し、停止候補として抽出する（ステップＳ２６１）。停止候補が抽出されなかった場合（ステップＳ２６１のＮＯ）、通知部１０６が、ガス使用量を削減できないこと示す情報を需要家に通知し（ステップＳ２６２）、図１２に戻り、処理を終了する。
【００８８】
停止候補が抽出された場合（ステップＳ２６１のＹＥＳ）、選択部２０６は、機器リスト２１０を参照し、ステップＳ２６１で抽出した停止候補のガス消費機器５４の代替機器の電力消費機器５２がないか検索し、動作候補として抽出する（ステップＳ２６３）。
動作候補が抽出された場合（ステップＳ２６３のＹＥＳ）、生成部１０４は、当該電力消費機器５２に対応する停止候補のガス消費機器５４について、動作停止することと、当該代替機器の電力消費機器５２について、動作開始を行うことを示す制御情報を生成する（ステップＳ２６５）。このとき、制御情報に、電力消費機器５２の動作モード、設定温度などの設定を示す情報を含んでもよい。その後、図１２に戻り、処理を終了する。
【００８９】
ステップＳ２６３で複数のガス消費機器５４が停止候補として抽出された場合、選択部２０６は、予め指定された優先順位に従って、需要家宅全体の総ガス使用量が所定値未満になるまで、少なくとも１つのガス消費機器５４を停止候補として選択してもよい（不図示）。
【００９０】
動作候補が抽出されなかった場合（ステップＳ２６３のＮＯ）、選択部２０６および生成部１０４は、停止候補のガス消費機器５４の種別と、予め指定された優先順位と、ガス消費機器５４のモード別ガス使用量の情報などに基づいて、停止候補のガス消費機器５４の選択および制御内容を決定する（ステップＳ２６７）。制御内容とは、たとえば、ガス消費機器５４を停止する、または、エコモードに切り替える、設定温度を調整する等の制御を含む。ここで、エコモードとは、ガス消費機器５４において、ガスの消費量または電力消費量を通常より抑えて動作するモードである。
生成部１０４は、ステップＳ２６７で選択されたガス消費機器５４を、決定された制御内容で制御することを示す制御情報を生成する（ステップＳ２６９）。その後、図１２に戻り、処理を終了する。
【００９１】
図１５は、本実施形態の電力およびガス消費機器制御情報生成処理の手順の一例を示すフローチャートである。
図１２のステップＳ２４１で、電気料金が所定値以上、かつ、ガス料金が所定値以上の場合（ステップＳ２４１のＣＡＳＥ４）、本処理（ステップＳ２４９）が実行される。
まず、選択部２０６が、機器リスト２１０を参照し、電力使用量またはガス使用量がそれぞれ所定値以上の機器を検索し、停止候補としてそれぞれ抽出する（ステップＳ２７１）。停止候補が抽出されなかった場合（ステップＳ２７１のＮＯ）、通知部１０６が、消費電力量およびガス使用量を削減できないこと示す情報を需要家に通知し（ステップＳ２７２）、図１２に戻り、処理を終了する。
【００９２】
さらに、ステップＳ２７１で、複数の機器が停止候補として抽出された場合（ステップＳ２７１のＹＥＳ、かつステップＳ２７３のＹＥＳ）、選択部２０６は、予め指定された優先順位に従って、少なくとも１つの電力消費機器５２およびガス消費機器５４を停止対象として選択し、選択した停止対象の機器を停止したときの電力消費量またはガス使用量の削減量を算出する（ステップＳ２７５）。
【００９３】
そして、選択部２０６は、選択した停止対象の機器を停止したとき、需要家宅全体の電力消費量および総ガス使用量がそれぞれ所定値（ｘ，ｙ）未満になるまで（ステップＳ２７７のＮＯ）、ステップＳ２７５に戻り、停止対象機器の選択を繰り返す。
【００９４】
需要家宅全体の電力消費量および総ガス使用量がそれぞれ所定値未満になったとき（ステップＳ２７７のＹＥＳ）、生成部１０４は、停止対象の電力消費機器５２およびガス消費機器５４の種別と、各機器の予め指定された優先順位と、電力消費機器５２のモード別消費電力量およびガス消費機器５４のモード別ガス使用量の情報などに基づいて、停止対象の電力消費機器５２およびガス消費機器５４の制御内容を決定する（ステップＳ２７９）。制御内容とは、たとえば、電力消費機器５２またはガス消費機器５４を停止する、節電またはエコモードに切り替える、設定温度を変更する等の制御を含む。そして、生成部１０４は、ステップＳ２７５で選択された電力消費機器５２およびガス消費機器５４を、ステップＳ２７９で決定された制御内容でそれぞれ制御することを示す制御情報を生成する（ステップＳ２８１）。その後、図１２に戻り、処理を終了する。
【００９５】
電気料金とガス料金とが所定値以上の場合、同様の機能を有する、つまりお互いに代替機器である電力消費機器５２とガス消費機器５４を停止対象の機器として選択しない。換言すると、電気料金とガス料金とが所定値以上の場合、異なる機能を有する、つまりお互いに代替機器である電力消費機器５２とガス消費機器５４を停止対象の機器として選択する。
【００９６】
なお、選択部２０６による停止対象の機器の選択方法は、上記の例に限定されない。たとえば、エアコンを停止した場合など、外気温度に基づいて、所定の居室の室温の温度を予測し、所定値より高く場合は停止対象として当該居室のエアコンを選択しない等の方法も考えられる。その結果、停止対象の機器が選択できない場合は、ステップＳ２７２に進み、通知部１０６が、需要家に消費電力量およびガス使用量を削減できないこと示す情報を通知してもよい。
【００９７】
ステップＳ２７１で１つの機器が停止候補として抽出された場合（ステップＳ２７３のＮＯ）、選択部２０６は、抽出された機器を停止対象として選択し、ステップＳ２７９に進む。この場合も、ステップＳ２７５およびステップＳ２７７で停止後の需要家宅全体の電力消費量およびガス使用量を算出し、それぞれ所定値未満になるか否かを判定し、所定値未満にならない場合、ステップＳ２７２に進み、通知部１０６が、需要家に機器の動作を停止しても消費電力量およびガス使用量を削減できないこと示す情報を通知してもよい。
【００９８】
このケースでも、選択部２０６が、機器リスト２１０を参照し、ステップＳ２７１で抽出した停止候補の電力消費機器５２およびガス消費機器５４の少なくともいずれかの代替機器がないか検索し、動作候補として抽出してもよい。このとき、生成部１０４は、各機器のエネルギ効率に基づいて、エネルギ効率がよい代替機器に切り替える制御情報を生成してもよい。
【００９９】
このようにして生成された制御情報は、制御部１０８または通知部１０６に受け渡される。
そして、制御部１０８が、制御情報に基づいて、選択部２０６により選択された機器を制御する。また、通知部１０６が、制御情報に基づいて、エネルギ消費機器５０の最適制御に関する情報を需要家に通知する。
【０１００】
以上説明したように、本実施形態の制御装置２００において、料金情報取得部２０２により、電力およびガスの料金プラン情報が取得され、生成部２０４により、電力およびガスの検針値と、さらに、電力およびガスの料金プラン情報に基づいて、エネルギ消費機器５０の制御情報が生成される。
この構成によれば、制御情報は、電力とガスの両方の検針値と、さらに、電力とガスの料金プラン情報とに基づいて、生成されるため、上記実施形態と同様な効果を有するとともに、さらに、需要家の料金プランを考慮して、料金が低くなるようにエネルギ消費機器５０を制御することができる。
【０１０１】
（第３の実施の形態）
図１６は、本実施形態の制御装置３００の論理的な構成を示す機能ブロック図である。
図１６では、制御装置３００は、図７の上記実施形態の制御装置２００の検針値取得部１０２と、料金情報取得部２０２と、選択部２０６と、特定部２０８とに加え、電力およびガスの需要制御情報を取得する需要制御情報取得部３０２と、生成部３０４と、をさらに備えている。他の例では、図７以外の他の上記実施形態の構成に、需要制御情報取得部３０２と、生成部３０４と、をさらに備えてもよい。
生成部３０４は、電力およびガスの検針値に基づく制御情報を、需要制御情報に基づいて更新する。
【０１０２】
需要制御情報とは、所謂デマンドレスポンス（以下、デマンドレスポンスとも呼ぶ）であり、たとえば、電力不足が予想されるときや、電力の３０分同時同量を維持するために、需要家に電力消費の削減を求めるために送信される。デマンドレスポンスの発信元および送信経路は様々考えられ、以下に例示されるが、これらに限定されない。また、以下の複数を組み合わせてもよい。
ここで、図１７のシステム構成の概略図を用いて説明する。
（ｇ１）電力会社２０からＡルートを介してスマートメーター１０に送信され、スマートメーター１０からＢルートを介してＨＥＭＳ４０に送信される。
（ｇ２）電力会社２０からＰＰＳ８０（またはガス会社３０）またはプロバイダ３５に所定のネットワーク（不図示）を介して送信され、ＰＰＳ８０（またはガス会社３０）またはプロバイダ３５からＣルートを介してＨＥＭＳ４０に送信される。
（ｇ３）ＰＰＳ８０（またはガス会社３０）からＣルートを介してＨＥＭＳ４０に送信される。
（ｇ４）ＰＰＳ８０（またはガス会社３０）から所定のネットワーク（不図示）を介してプロバイダ３５に送信され、プロバイダ３５からＣルートを介してＨＥＭＳ４０に送信される。
【０１０３】
本実施形態において、デマンドレスポンスの内容は、以下に例示されるが、これらに限定されない。また、以下の複数を組み合わせてもよい。
（ｈ１）指定された期間（または時間帯等）の消費電力量が第１の所定値以上の場合に、料金を上げる。
（ｈ２）指定された期間（または時間帯等）の消費電力量が第２の所定値未満の場合に、インセンティブを付与する。
【０１０４】
このように構成された本実施形態の制御装置３００の動作について説明する。
図１８は、本実施形態の制御装置３００の動作の一例を示すフローチャートである。
まず、デマンドレスポンスを需要制御情報取得部３０２が取得したとき（ステップＳ３０１のＹＥＳ）、本処理が開始され、生成部３０４が、指定された期間（または時間帯）の消費電力量を予測して算出する（ステップＳ３０３）。
算出方法は、様々考えられ、以下に例示されるがこれらに限定されない。また、複数を組み合わせてもよい。
（ｉ１）過去の需要家の消費電力量の履歴情報に基づいて、過去の同じ時間帯の消費電力量を算出する。
（ｉ２）過去の需要家の消費電力量の変動傾向（微分値やスケジュール）から、指定された期間の消費電力量を算出する。
【０１０５】
また、需要制御情報取得部３０２が取得したデマンドレスポンスを需要家が受け入れるか否かの指示を受け付けて、受け入れる場合に、以下の処理を行う構成でもよい。あるいは、予め需要家がデマンドレスポンスを受け入れる基準を設定しておき、設定された基準に従って、取得したデマンドレスポンスを受け入れるか否か判定してもよい。
【０１０６】
算出された消費電力量が、デマンドレスポンスで指定された第１の所定値（図中、「Ｗ１」と示す）以上か否か判定する（ステップＳ３０５）。第１の所定値以上の場合（ステップＳ３０５のＹＥＳ）、生成部３０４は、上記実施形態の図１３の電力消費機器制御情報生成処理（ステップＳ２４５）に従って、エネルギ消費機器５０の制御情報を生成する。たとえば、動作中の電力消費機器５２を停止し、代替機器のガス消費機器５４を動作させたり、動作中の電力消費機器５２の動作モードを通常モードから節電モードに切り替えたりする制御情報を生成する。第１の所定値未満の場合（ステップＳ３０５のＮＯ）、電力消費機器制御情報生成処理をバイパスし、ステップＳ３０７に進む。
【０１０７】
さらに、算出された消費電力量がデマンドレスポンスで指定された第２の所定値（図中、「Ｗ２」と示す）未満か否かを判定する（ステップＳ３０７）。第２の所定値未満の場合（ステップＳ３０７のＹＥＳ）、生成部３０４は、上記実施形態の図１３の電力消費機器制御情報生成処理（ステップＳ２４５）に従って、エネルギ消費機器５０の制御情報を生成する。第２の所定値以上の場合（ステップＳ３０７のＮＯ）、電力消費機器制御情報生成処理をバイパスし、本処理を終了する。
これらの動作により、需要家宅全体の消費電力量が削減されることになるとともに、ＰＰＳ８０はデマンドレスポンスによって、電力の３０分同時同量を維持できる可能性が高くなる。
【０１０８】
以上説明したように、本実施形態の制御装置３００において、需要制御情報取得部３０２により、電力およびガスの需要制御情報が取得され、生成部３０４により、電力およびガスの検針値に基づく制御情報が、需要制御情報に基づいて更新される。
この構成によれば、上記実施形態と同様な効果を奏するとともに、さらに、デマンドレスポンスを受け付けた場合に、デマンドレスポンスを受け入れつつ、電力およびガスの消費を最適に制御することが可能になる。
【０１０９】
以上、図面を参照して本発明の実施形態について述べたが、これらは本発明の例示であり、上記以外の様々な構成を採用することもできる。
【実施例】
【０１１０】
（実施例１）
本実施例では、上述した本発明の実施の形態に係る制御装置をＨＥＭＳが実現する構成例について説明する。ＨＥＭＳが制御装置を実現する構成例において、需要家が使用する電力は、電力会社２０から提供される場合と、ＰＰＳから提供される場合が考えられる。また、ＰＰＳは、ガス会社３０が行う場合と、ガス会社３０以外の場合とが考えられる。はじめに、電力会社２０から電力が供給される構成について説明する。ここでは、システム全体の説明に、図２を用いる。
【０１１１】
図１９は、本実施例のＨＥＭＳ４００の構成例を示す機能ブロック図である。
本実施例では、上記実施形態の少なくともいずれかの制御装置の構成を、図１９のＨＥＭＳ４００の各構成要素が実現する。図２ではＨＥＭＳ４０となっているが、本実施例では、ＨＥＭＳ４００に読み換えるものとする。
【０１１２】
ＨＥＭＳ４００は、制御部４０２と、Ｂルート通信部４０４と、Ｃルート通信部４０６と、光熱使用効率データベース４０８と、算出部４１０と、データ保存部４１２と、を備える。
【０１１３】
制御部４０２は、図４のコンピュータ６０のＣＰＵ６２に相当し、プログラム７０に従って動作し、図１９の各要素とともに、ＨＥＭＳ４００全体を制御し、上記実施形態の各制御装置を実現する。
【０１１４】
Ｂルート通信部４０４は、スマートメーター１０またはガスメーター１２とＢルート認証を行い、Ｂルートを介して通信するインタフェース機能を有する。本実施例では、ガスメーター１２はスマートメーター１０にガス使用量の検針値を送信し、スマートメーター１０からＨＥＭＳ４００に電力の検針値とガスの検針値がＢルートで送信されるものとする。
上記各実施形態の制御装置の検針値取得部１０２は、Ｂルート通信部４０４を使用して、スマートメーター１０から電力およびガスの検針値を取得する。
【０１１５】
Ｃルート通信部４０６は、ガス会社サーバ３２またはクラウドサーバ３６とＣルートを介して通信するインタフェース機能を有する。上記各実施形態の制御装置の料金情報取得部２０２は、Ｃルート通信部４０６を使用して電力およびガスの料金プラン情報を取得する。
【０１１６】
光熱使用効率データベース４０８は、電力消費機器５２とガス消費機器５４のエネルギ使用効率に関する情報を記憶している。たとえば、各機器のエネルギ使用効率（設定温度別、モード別、外気または室温との関係）の情報、各機器の利用時間帯（曜日、季節等）の情報（履歴情報でもよい）などを含む。
【０１１７】
算出部４１０は、上記実施形態の各制御装置の生成部１０４（２０４，３０４）に相当する。たとえば、算出部４１０は、電力およびガスの検針値と、電力およびガスの料金プラン情報とに基づいて、エネルギ消費機器５０の制御情報を生成する。
【０１１８】
データ保存部４１２は、検針値取得部１０２が取得した電力およびガスの検針値の情報、料金情報取得部２０２が取得した電力およびガスの料金プラン情報等を記憶する。
光熱使用効率データベース４０８およびデータ保存部４１２は、たとえば、図４のメモリ６４またはストレージ６６により実現される。
【０１１９】
このように構成された本実施例の制御装置（ＨＥＭＳ４００）の制御方法について以下説明する。
図２０は、本実施例の情報処理システム１の動作手順を示すフローチャートである。
まず、ＨＥＭＳ４００のＢルート通信部４０４が、スマートメーター１０から電力とガスの検針値をＢルート経由で取得する（ステップＳ４０１）。上述したように、ＨＥＭＳ４００とスマートメーター１０間は事前にＢルート認証手続きが行われているものとする。また、ガスメーター１２のガスの検針値はスマートメーター１０に送信済みであるものとする。取得された検針値は、データ保存部４１２に保存される。
【０１２０】
そして、電力会社サーバ２２から、Ａルートを経由してスマートメーター１０に電力の料金プラン情報が送信され、スマートメーター１０からＢルートを経由してＨＥＭＳ４００に転送される。さらに、ガス会社サーバ３２またはクラウドサーバ３６からＨＥＭＳ４００にガスの料金プラン情報が送信される。このようにして、ＨＥＭＳ４００では、Ｃルート通信部４０６が、電力およびガスの料金プランをそれぞれ取得する（ステップＳ４０３）。取得された料金プラン情報は、データ保存部４１２に保存される。
【０１２１】
そして、ＨＥＭＳ４００において、算出部４１０が、電力およびガスの検針値、料金プラン情報、および光熱使用効率データベース４０８に記憶される各機器のエネルギ使用効率に関する情報に基づいて、料金がより安くなる、あるいは、エネルギ効率が高くなる、使用機器の選択、選択された機器への切り替え、機器の停止、機器のモード切り替え等を行う制御内容を示す制御情報を生成する。そして、制御部４０２が、制御情報に基づいて、エネルギ消費機器５０を制御する（ステップＳ４０５）。
【０１２２】
次に、需要家にＰＰＳ８０から電力が供給される場合の構成について説明する。ここでは、ＰＰＳ８０とガス会社３０は別会社を想定して説明するが、ガス会社３０がＰＰＳ８０を含んでもよい。
図２１は、本実施例の情報処理システム１全体の構成を示すブロック図である。
図２２は、本実施例の情報処理システム１の動作手順を示すフローチャートである。図２２の例は、図２０とは、電力の料金プラン情報の取得先が異なる以外は、図２０と同じである。
本実施例では、ＰＰＳ８０からＨＥＭＳ４００に電力の料金プラン情報が送信される。さらに、ガス会社サーバ３２またはクラウドサーバ３６からＨＥＭＳ４００にガスの料金プラン情報が送信される。
ＨＥＭＳ４００では、Ｃルート通信部４０６が、ＰＰＳ８０とＣルート経由で通信し、電力の料金プラン情報を取得し、ガス会社サーバ３２またはクラウドサーバ３６からＣルート経由でガスの料金プラン情報を取得する（ステップＳ４１３）。
【０１２３】
（実施例２）
次に、上述した本発明の実施の形態に係る制御装置をスマートメーターが実現する構成例について説明する。スマートメーターが制御装置を実現する構成例においても、需要家が使用する電力は、電力会社２０から提供される場合と、ＰＰＳから提供される場合が考えられる。また、ＰＰＳは、ガス会社３０が行う場合と、ガス会社３０以外の場合とが考えられる。ここでは、電力会社２０から電力が供給される場合と、ガス会社３０以外のＰＰＳから電力が供給される場合について説明する。はじめに、電力会社２０から電力が供給される構成について説明する。ここでは、システム全体の説明に、図２を用いる。
【０１２４】
図２３は、本実施例のスマートメーター１０の通信ユニット５００の構成例を示す機能ブロック図である。
本実施例では、上記実施形態の少なくともいずれかの制御装置の構成を、図２３の通信ユニット５００の各構成要素が実現する。本実施例では、通信ユニット５００は、スマートメーター１０のハウジング（不図示）内に含まれる構成とする。
通信ユニット５００は、制御部５０２と、Ａルート通信部５０４と、Ｂルート通信部５０６と、光熱使用効率データベース５０８と、算出部５１０と、データ保存部５１２と、電力計量装置通信部５１４と、ガス計量装置通信部５１６と、を備える。
【０１２５】
制御部５０２と、光熱使用効率データベース５０８と、算出部５１０と、データ保存部５１２は、上記実施例の制御部４０２と、光熱使用効率データベース４０８と、算出部４１０と、データ保存部４１２と、それぞれ同様な機能を有するので詳細な説明は省略する。
【０１２６】
Ａルート通信部５０４は、電力会社２０の電力会社サーバ２２と、Ａルートを介して通信するインタフェース機能を有する。電力会社サーバ２２とのＡルートを介した通信も事前に認証処理が行われているものとする。
Ｂルート通信部５０６は、ＨＥＭＳ４０とＢルート認証を行い、Ｂルートを介して通信するインタフェース機能を有する。
【０１２７】
なお、本実施例では、ガスの料金プラン情報は、ガス会社サーバ３２またはクラウドサーバ３６から、Ｃルートを介してＨＥＭＳ４０に送信され、ＨＥＭＳ４０からスマートメーター１０に転送される。
上記各実施形態の制御装置の料金情報取得部２０２は、Ａルート通信部５０４を使用して、電力の料金プラン情報を取得し、Ｂルート通信部５０６を使用して、ガスの料金プラン情報をＨＥＭＳ４０から取得する。
【０１２８】
電力計量装置通信部５１４は、スマートメーター１０（電力計量装置）と通信するインタフェース機能を有する。
ガス計量装置通信部５１６は、ガスメーター１２（ガス計量装置）と通信するインタフェース機能を有する。
本実施例では、ガスメーター１２はスマートメーター１０にガス使用量の検針値を送信するものとする。上記各実施形態の制御装置の検針値取得部１０２は、電力計量装置通信部５１４およびガス計量装置通信部５１６を使用して、電力およびガスの検針値をそれぞれ取得する。
【０１２９】
このように構成された本実施例の制御装置の制御方法について以下説明する。
図２４は、本実施例の情報処理システム１の動作手順を示すフローチャートである。
まず、スマートメーター１０において、通信ユニット５００の電力計量装置通信部５１４およびガス計量装置通信部５１６が、それぞれ電力およびガスの検針値を取得する（ステップＳ５０１）。取得された検針値は、データ保存部４１２に保存される。
【０１３０】
そして、電力会社サーバ２２から、Ａルートを経由してスマートメーター１０に電力の料金プラン情報が送信される。さらに、ガス会社サーバ３２またはクラウドサーバ３６からＨＥＭＳ４００にガスの料金プラン情報が送信され、ＨＥＭＳ４０からスマートメーター１０に転送される。このようにして、スマートメーター１０では、通信ユニット５００のＡルート通信部５０４およびＢルート通信部５０６がそれぞれ電力およびガスの料金プラン情報を取得する（ステップＳ５０３）。取得された料金プラン情報は、データ保存部４１２に保存される。
【０１３１】
そして、スマートメーター１０において、通信ユニット５００の算出部５１０が、電力およびガスの検針値、料金プラン情報、および光熱使用効率データベース５０８に記憶される各機器のエネルギ使用効率に関する情報に基づいて、料金がより安くなる、あるいは、エネルギ効率が高くなる、使用機器の選択、選択された機器への切り替え、機器の停止、機器のモード切り替え等を行う制御内容を示す制御情報を生成する（ステップＳ５０５）。
【０１３２】
そして、スマートメーター１０の通信ユニット５００のＢルート通信部５０６が、制御情報をＨＥＭＳ４０にＢルートを介して送信する。ＨＥＭＳ４０では、スマートメーター１０から制御情報を受信する。ＨＥＭＳ４０では、たとえば、上記実施形態の制御部１０８が、エネルギ消費機器５０を制御してもよい（ステップＳ５０７）し、通知部１０６が、制御内容を需要家に通知してもよい（不図示）。
【０１３３】
次に、需要家にＰＰＳ８０から電力が供給される場合の構成について説明する。ここでは、システム全体の説明に、図２１を用い、ＰＰＳ８０とガス会社３０は別会社を想定して説明するが、ガス会社３０がＰＰＳ８０を含んでもよい。
図２５は、本実施例の情報処理システム１の動作手順を示すフローチャートである。図２５の例は、図２４とは、電力の料金プラン情報の取得先が異なる以外は、図２４と同じである。
電力の料金プラン情報は、Ｃルートを介してＰＰＳサーバ８２からＨＥＭＳ４０に送信され、Ｂルートを介してＨＥＭＳ４０からスマートメーター１０に転送される。スマートメーター１０では、Ｂルート通信部５０６が、Ｂルートを介してＨＥＭＳ４０から電力の料金プラン情報とガスの料金プラン情報を取得する（ステップＳ５１３）。
【０１３４】
（実施例３）
次に、上述した本発明の実施の形態に係る制御装置をクラウドサーバ３６が実現する構成例について説明する。スマートメーターが制御装置を実現する構成例においても、需要家が使用する電力は、電力会社２０から提供される場合と、ＰＰＳ８０から提供される場合が考えられる。また、ＰＰＳ８０は、ガス会社３０が行う場合と、ガス会社３０以外の場合とが考えられる。ここでは、ガス会社３０がＰＰＳ８０を兼ねる構成について説明する。
図２６は、本実施例の情報処理システム１の構成例を示すブロック図である。
図２７は、本実施例のクラウドサーバ６００の構成例を示す機能ブロック図である。
本実施例では、上記実施形態の少なくともいずれかの制御装置の構成を、図２７のクラウドサーバ６００の各構成要素が実現する。
【０１３５】
クラウドサーバ６００は、制御部６０２と、Ｃルート通信部６０４と、光熱使用効率データベース６０８と、算出部６１０と、データ保存部６１２と、を備える。
制御部６０２と、光熱使用効率データベース６０８と、算出部６１０と、データ保存部６１２とは、上記実施例の制御部４０２と、光熱使用効率データベース４０８と、算出部４１０と、データ保存部４１２と、それぞれ同様な機能を有するので詳細な説明は省略する。
Ｃルート通信部６０４は、ＨＥＭＳ４０とＣルートを介して通信するインタフェース機能を有する。上記各実施形態の制御装置の検針値取得部１０２は、Ｃルート通信部６０４を使用して電力およびガスの検針値を取得する。また、上記各実施形態の制御装置の料金情報取得部２０２は、Ｃルート通信部６０４を使用して電力およびガスの料金プラン情報を取得する。
Ｃルート通信部６０４は、ＨＥＭＳ４０がスマートメーター１０とガスメーター１２からＢルートを介して取得した電力およびガスの検針値をＣルートにより取得する。
【０１３６】
この例において、電力の検針値をスマートメーター１０からＡルートで電力会社サーバ２２が収集し、その情報が所定のネットワーク（不図示）を介してクラウドサーバ６００に送信され、検針値取得部１０２が取得する構成も排除されない。また、ガスの検針値をガスメーター１２からＵバス経由でガス会社サーバ３２が収集し、その情報が所定のネットワーク（不図示）を介して制御装置３００に送信され、検針値取得部１０２が取得する構成も排除されない。
【０１３７】
このように構成された本実施例の制御装置の制御方法について以下説明する。
図２８は、本実施例の情報処理システム１の動作手順を示すフローチャートである。
まず、ガスメーター１２およびスマートメーター１０からＨＥＭＳ４０に電力およびガスの検針値がそれぞれＢルートを介して送信され、ＨＥＭＳ４０からＣルートを介してクラウドサーバ６００に転送される。クラウドサーバ６００において、Ｃルート通信部６０４が、ＨＥＭＳ４０から電力およびガスの検針値をＢルート経由で取得する（ステップＳ６０１）。上述したように、ＨＥＭＳ４０とスマートメーター１０（およびガスメーター１２）間は、事前にＢルート認証手続きが行われているものとする。本実施例では、ガスメーター１２のガスの検針値はスマートメーター１０とは別に送信されるものとする。取得された検針値は、データ保存部６１２に保存される。
【０１３８】
そして、電力およびガスの料金プラン情報は、予めデータベース（図中、「ＤＢ」と示す）３８、データベース（図中、「ＤＢ」と示す）８４およびデータベース３４の少なくともいずれかに記憶されているものを使用する。クラウドサーバ６００のデータ保存部６１２に保存されてもよい。
【０１３９】
次に、ＨＥＭＳ４０が、エネルギ消費機器５０にアクセスして、機器情報を取得し、ＨＥＭＳ４０からクラウドサーバ６００に転送される。クラウドサーバ６００において、Ｃルート通信部６０４がＣルート経由で機器情報を取得する（ステップＳ６０３）。取得した機器情報は、光熱使用効率データベース６０８に格納される。ここで、機器情報とは、需要家が使用（または所有）しているエネルギ消費機器５０について、動作状況（動作、停止、モード、設定温度等）、エネルギ使用効率等の情報を含む。これらの情報は、時刻情報とともに保存され、機器使用履歴として使用されてもよい。
【０１４０】
そして、クラウドサーバ６００において、算出部６１０が、電力およびガスの検針値、料金プラン情報、および光熱使用効率データベース６０８に記憶される各機器のエネルギ使用効率に関する情報に基づいて、料金がより安くなる、あるいは、エネルギ効率が高くなる、使用機器の選択、選択された機器への切り替え、機器の停止、機器のモード切り替え等を行う制御内容を示す制御情報を生成する（ステップＳ６０５）。
【０１４１】
そして、クラウドサーバ６００のＣルート通信部６０４が、制御情報をＨＥＭＳ４０にＣルートを介して送信する。ＨＥＭＳ４０では、スマートメーター１０から制御情報を受信する。ＨＥＭＳ４０では、たとえば、上記実施形態の制御部１０８が、エネルギ消費機器５０を制御してもよい（ステップＳ５０７）し、通知部１０６が、制御内容を需要家に通知してもよい（不図示）。
【０１４２】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
なお、本発明において利用者に関する情報を取得、利用する場合は、これを適法に行うものとする。
【０１４３】
以下、参考形態の例を付記する。
１．  制御装置が、
電力量計およびガスメーターにより計測された電力およびガスの検針値を取得し、
前記電力およびガスの検針値に基づいて、エネルギ消費機器の制御情報を生成する、
制御方法。
２．  前記制御装置が、
電力およびガスの料金プラン情報を取得し、
前記電力およびガスの検針値と、前記電力およびガスの料金プラン情報とに基づいて、エネルギ消費機器の制御情報を生成する、１．に記載の制御装置の制御方法。
３．  前記制御装置が、
前記電力およびガスの検針値と、前記電力およびガスの料金プラン情報とに基づいて、需要家の支払い料金を算出し、
前記支払い料金に基づいて、前記エネルギ消費機器の前記電力とガスの利用の組み合わせを決定し、
決定された組み合わせに基づいて、前記制御情報を生成する、２．に記載の制御装置の制御方法。
４．前記制御装置が、
前記電力および前記ガスに関する前記料金プラン情報の取得先情報に基づいて、各取得先に、前記料金プラン情報を要求して取得する、２．または３．に記載の制御装置の制御方法。
５．  前記制御装置が、
前記制御情報に基づく制御の対象となる機器に関し、前記エネルギ消費機器を識別可能なリスト情報を保持し、前記リスト情報に基づいて、前記制御情報に基づく制御の対象となる機器を選択する、１．から４．いずれか１つに記載の制御装置の制御方法。
６．  前記制御装置が、
スマートメーター、ＨＥＭＳ（Home Energy Management System：住宅向けエネルギ管理システム）、およびクラウドサーバの少なくともいずれか一つにより実現される１．から５．いずれか１つに記載の制御装置の制御方法。
７．  前記制御装置が、
前記電力およびガスの検針値、ならびに、前記電力およびガスの料金プラン情報の取得先を特定する、１．から６．いずれか１つに記載の制御装置の制御方法。
８．  前記制御装置が、
前記電力およびガスの需要制御情報を取得し、
前記電力およびガスの検針値に基づく前記制御情報を、前記需要制御情報に基づいて更新する、１．から７．いずれか１つに記載の制御装置の制御方法。
９．  前記制御装置が、
さらに、前記制御情報に基づいて、前記エネルギ消費機器の最適制御に関する情報を需要家に通知する、１．から８．いずれか１つに記載の制御装置の制御方法。
１０．  前記制御装置が、
さらに、前記制御情報に基づいて、前記エネルギ消費機器を制御する、１．から９．いずれか１つに記載の制御装置の制御方法。
１１．  前記エネルギ消費機器が、電力とガスの両方を消費する機器であり、かつ、前記電力とガスの消費比率を変更でき、
前記制御装置が、
前記エネルギ消費機器の前記制御情報に、前記電力とガスの前記消費比率の変更指示を含んで生成する、１．から１０．いずれか１つに記載の制御装置の制御方法。
１２．  前記制御装置が、
さらに、前記エネルギ消費機器から、その利用状況、動作状況、および各センサの情報、および利用効率に関する情報のうち少なくとも一つを含む機器情報を取得し、
取得した前記エネルギ消費機器の前記機器情報をさらに用いて、前記制御情報を生成する、１．から１１．いずれか１つに記載の制御装置の制御方法。
１３．  前記制御装置が、
電力消費量が所定値以上の電力消費機器を停止候補として抽出した場合、前記停止候補の前記電力消費機器と代替可能なガス消費機器を抽出する、１．から１２．いずれか１つに記載に制御装置の制御方法。
１４．  前記制御装置が、
ガス消費量が所定値以上のガス消費機器を停止候補として抽出した場合、前記停止候補の前記ガス消費機器と代替可能な電力消費機器を抽出する、１．から１２．いずれか１つに記載に制御装置の制御方法。
１５．  前記制御装置が、
前記ガス消費機器に対応する前記停止候補の前記電力消費機器について動作停止し、当該代替機器のガス消費機器について、動作開始を行うことを示す制御情報を生成する、１３．に記載の制御装置の制御方法。
１６．  前記制御装置が、
前記電力消費機器に対応する前記停止候補の前記ガス消費機器について動作停止し、当該代替機器の電力消費機器について、動作開始を行うことを示す制御情報を生成する、１４．に記載の制御装置の制御方法。
１７．  前記制御装置が、
前記停止候補の前記電力消費機器に代替機器がある場合、当該電力消費機器を動作停止することを示す制御情報を生成し、
前記停止候補の前記電力消費機器に代替機器がない場合、当該電力消費機器を停止または節電モードにすることを示す制御情報を生成する、１３．から１６．いずれか１つに記載の制御装置の制御方法。
【０１４４】
１８．  コンピュータに、
電力量計およびガスメーターにより計測された電力およびガスの検針値を取得する手順、
前記電力およびガスの検針値に基づいて、エネルギ消費機器の制御情報を生成する手順、を実行させるためのプログラム。
１９．  さらに、電力およびガスの料金プラン情報を取得する手順、
前記電力およびガスの検針値と、前記電力およびガスの料金プラン情報とに基づいて、エネルギ消費機器の制御情報を生成する手順をコンピュータに実行させるための１８．に記載のプログラム。
２０．  前記電力およびガスの検針値と、前記電力およびガスの料金プラン情報とに基づいて、需要家の支払い料金を算出する手順、
前記支払い料金に基づいて、前記エネルギ消費機器の前記電力とガスの利用の組み合わせを決定する手順、
決定された組み合わせに基づいて、前記制御情報を生成する手順をコンピュータに実行させるための１９．に記載のプログラム。
２１．  前記電力および前記ガスに関する前記料金プラン情報の取得先情報に基づいて、各取得先に、前記料金プラン情報を要求して取得する手順をコンピュータに実行させるための１９．または２０．に記載のプログラム。
２２．  前記制御情報に基づく制御の対象となる機器に関し、前記エネルギ消費機器を識別可能なリスト情報を保持し、前記リスト情報に基づいて、前記制御情報に基づく制御の対象となる機器を選択する手順をコンピュータに実行させるための１８．から２１．いずれか１つに記載のプログラム。
２３．  コンピュータが、スマートメーター、ＨＥＭＳ（Home Energy Management System：住宅向けエネルギ管理システム）、およびクラウドサーバの少なくともいずれか一つにより実現される１８．から２２．いずれか１つに記載のプログラム。
２４．  前記電力およびガスの検針値、ならびに、前記電力およびガスの料金プラン情報の取得先を特定する手順をコンピュータに実行させるための１８．から２３．いずれか１つに記載のプログラム。
２５．  さらに、前記電力およびガスの需要制御情報を取得する手順、
前記電力およびガスの検針値に基づく前記制御情報を、前記需要制御情報に基づいて更新する手順をコンピュータに実行させるための１８．から２４．いずれか１つに記載のプログラム。
２６．  前記制御情報に基づいて、前記エネルギ消費機器の最適制御に関する情報を需要家に通知する手順をコンピュータに実行させるための１８．から２５．いずれか１つに記載のプログラム。
２７．  前記制御情報に基づいて、前記エネルギ消費機器を制御する手順をコンピュータに実行させるための１８．から２６．いずれか１つに記載のプログラム。
２８．  前記エネルギ消費機器が、電力とガスの両方を消費する機器であり、かつ、前記電力とガスの消費比率を変更でき、
前記エネルギ消費機器の前記制御情報に、前記電力とガスの前記消費比率の変更指示を含んで生成する手順をコンピュータに実行させるための１８．から２７．いずれか１つに記載のプログラム。
２９．  さらに、前記エネルギ消費機器から、その利用状況、動作状況、および各センサの情報、および利用効率に関する情報のうち少なくとも一つを含む機器情報を取得する手順、
取得した前記エネルギ消費機器の前記機器情報をさらに用いて、前記制御情報を生成する手順をコンピュータに実行させるための１８．から２８．いずれか１つに記載のプログラム。
３０．  電力消費量が所定値以上の電力消費機器を停止候補として抽出した場合、前記停止候補の前記電力消費機器と代替可能なガス消費機器を抽出する手順をコンピュータに実行させるための１８．から２９．いずれか１つに記載にプログラム。
３１．  ガス消費量が所定値以上のガス消費機器を停止候補として抽出した場合、前記停止候補の前記ガス消費機器と代替可能な電力消費機器を抽出する手順をコンピュータに実行させるための１８．から２９．いずれか１つに記載にプログラム。
３２．  前記ガス消費機器に対応する前記停止候補の前記電力消費機器について動作停止し、当該代替機器のガス消費機器について、動作開始を行うことを示す制御情報を生成する手順をコンピュータに実行させるための３０．に記載のプログラム。
３３．  前記電力消費機器に対応する前記停止候補の前記ガス消費機器について動作停止し、当該代替機器の電力消費機器について、動作開始を行うことを示す制御情報を生成する手順をコンピュータに実行させるための３１．に記載のプログラム。
３４．  前記停止候補の前記電力消費機器に代替機器がある場合、当該電力消費機器を動作停止することを示す制御情報を生成する手順、
前記停止候補の前記電力消費機器に代替機器がない場合、当該電力消費機器を停止または節電モードにすることを示す制御情報を生成する手順をコンピュータに実行させるための３０．から３３．いずれか１つに記載のプログラム。
３５．  電力量計およびガスメーターにより計測された電力およびガスの検針値を取得する検針値取得手段と、
前記電力およびガスの検針値に基づいて、エネルギ消費機器の制御情報を生成する生成手段と、
を備える制御装置。
３６．  電力およびガスの料金プラン情報を取得する料金情報取得手段をさらに備え、
前記生成手段は、前記電力およびガスの検針値と、前記電力およびガスの料金プラン情報とに基づいて、エネルギ消費機器の制御情報を生成する３５．に記載の制御装置。
３７．  前記生成手段は、
前記電力およびガスの検針値と、前記電力およびガスの料金プラン情報とに基づいて、需要家の支払い料金を算出し、
前記支払い料金に基づいて、前記エネルギ消費機器の前記電力とガスの利用の組み合わせを決定し、
決定された組み合わせに基づいて、前記制御情報を生成する３６．に記載の制御装置。
３８．  前記料金情報取得手段は、前記電力および前記ガスに関する前記料金プラン情報の取得先情報に基づいて、各取得先に、前記料金プラン情報を要求して取得する３６．または３７．に記載の制御装置。
３９．  前記制御情報に基づく制御の対象となる機器に関し、前記エネルギ消費機器を識別可能なリスト情報を保持し、前記リスト情報に基づいて、前記制御情報に基づく制御の対象となる機器を選択する選択手段をさらに備える３５．から３８．いずれか１つに記載の制御装置。
４０．  スマートメーター、ＨＥＭＳ（Home Energy Management System：住宅向けエネルギ管理システム）、およびクラウドサーバの少なくともいずれか一つにより実現される３５．から３９．いずれか１つに記載の制御装置。
４１．  前記電力およびガスの検針値、ならびに、前記電力およびガスの料金プラン情報の取得先を特定する特定手段をさらに備える３５．から４０．いずれか１つに記載の制御装置。
４２．  前記電力およびガスの需要制御情報を取得する需要制御情報取得手段をさらに備え、
前記生成手段は、前記電力およびガスの検針値に基づく前記制御情報を、前記需要制御情報に基づいて更新する３５．から４１．いずれか１つに記載の制御装置。
４３．  前記制御情報に基づいて、前記エネルギ消費機器の最適制御に関する情報を需要家に通知する通知手段をさらに備える３５．から４２．いずれか１つに記載の制御装置。
４４．  前記制御情報に基づいて、前記エネルギ消費機器を制御する制御手段をさらに備える３５．から４３．いずれか１つに記載の制御装置。
４５．  前記エネルギ消費機器が、電力とガスの両方を消費する機器であり、かつ、前記電力とガスの消費比率を変更でき、
前記生成手段は、前記エネルギ消費機器の前記制御情報に、前記電力とガスの前記消費比率の変更指示を含んで生成する３５．から４４．いずれか１つに記載の制御装置。
４６．  前記エネルギ消費機器から、その利用状況、動作状況、および各センサの情報、および利用効率に関する情報のうち少なくとも一つを含む機器情報を取得する機器情報取得手段をさらに備え、
前記生成手段は、前記機器情報取得手段が取得した前記エネルギ消費機器の前記機器情報をさらに用いて、前記制御情報を生成する３５．から４５．いずれか１つに記載の制御装置。
４７．  前記生成手段は、
電力消費量が所定値以上の電力消費機器を停止候補として抽出した場合、前記停止候補の前記電力消費機器と代替可能なガス消費機器を抽出する３５．から４６．いずれか１つに記載に制御装置。
４８．  前記生成手段は、
ガス消費量が所定値以上のガス消費機器を停止候補として抽出した場合、前記停止候補の前記ガス消費機器と代替可能な電力消費機器を抽出する３５．から４６．いずれか１つに記載に制御装置。
４９．  前記生成手段は、
前記ガス消費機器に対応する前記停止候補の前記電力消費機器について動作停止し、当該代替機器のガス消費機器について、動作開始を行うことを示す制御情報を生成する４７．に記載の制御装置。
５０．  前記生成手段は、
前記電力消費機器に対応する前記停止候補の前記ガス消費機器について動作停止し、当該代替機器の電力消費機器について、動作開始を行うことを示す制御情報を生成する４８．に記載の制御装置。
５１．  前記生成手段は、
前記停止候補の前記電力消費機器に代替機器がある場合、当該電力消費機器を動作停止することを示す制御情報を生成し、
前記停止候補の前記電力消費機器に代替機器がない場合、当該電力消費機器を停止または節電モードにすることを示す制御情報を生成する４７．から５０．いずれか１つに記載の制御装置。
【符号の説明】
【０１４５】
１  情報処理システム
３  ネットワーク
５  ネットワーク
７  ネットワーク
９  ネットワーク
１０  スマートメーター
１２  ガスメーター
２０  電力会社
２２  電力会社サーバ
２４  データベース
３０  ガス会社
３２  ガス会社サーバ
３４  データベース
３５  プロバイダ
３６  クラウドサーバ
３８  データベース
４０  ＨＥＭＳ
４２  ＰＶシステム
４４  蓄電システム
４６  電気自動車
５０  エネルギ消費機器
５２  電力消費機器
５４  ガス消費機器
６０  コンピュータ
６２  ＣＰＵ
６４  メモリ
６６  ストレージ
６９  バス
７０  プログラム
８０  ＰＰＳ
８２  ＰＰＳサーバ
８４  データベース
１００  制御装置
１０２  検針値取得部
１０４  生成部
１０６  通知部
１０８  制御部
２００  制御装置
２０２  料金情報取得部
２０４  生成部
２０６  選択部
２０８  特定部
２１０  機器リスト
３００  制御装置
３０２  需要制御情報取得部
３０４  生成部
４００  ＨＥＭＳ
４０２  制御部
４０４  Ｂルート通信部
４０６  Ｃルート通信部
４０８  光熱使用効率データベース
４１０  算出部
４１２  データ保存部
５００  通信ユニット
５０２  制御部
５０４  Ａルート通信部
５０６  Ｂルート通信部
５０８  光熱使用効率データベース
５１０  算出部
５１２  データ保存部
５１４  電力計量装置通信部
５１６  ガス計量装置通信部
６００  クラウドサーバ
６０２  制御部
６０４  Ｃルート通信部
６０８  光熱使用効率データベース
６１０  算出部
６１２  データ保存部
【図１】
0006665436.tif 000002
【図２】
0006665436.tif 000003
【図３】
0006665436.tif 000004
【図４】
0006665436.tif 000005
【図５】
0006665436.tif 000006
【図６】
0006665436.tif 000007
【図７】
0006665436.tif 000008
【図８】
0006665436.tif 000009
【図９】
0006665436.tif 000010
【図１０】
0006665436.tif 000011
【図１１】
0006665436.tif 000012
【図１２】
0006665436.tif 000013
【図１３】
0006665436.tif 000014
【図１４】
0006665436.tif 000015
【図１５】
0006665436.tif 000016
【図１６】
0006665436.tif 000017
【図１７】
0006665436.tif 000018
【図１８】
0006665436.tif 000019
【図１９】
0006665436.tif 000020
【図２０】
0006665436.tif 000021
【図２１】
0006665436.tif 000022
【図２２】
0006665436.tif 000023
【図２３】
0006665436.tif 000024
【図２４】
0006665436.tif 000025
【図２５】
0006665436.tif 000026
【図２６】
0006665436.tif 000027
【図２７】
0006665436.tif 000028
【図２８】
0006665436.tif 000029